(57)【要約】  再選択タイマおよびセルランキング基準を調整するための様々な方法を開示する。サービングセルもしくは隣接セルのランキング基準、またはＷＴＲＵ（無線送受信ユニット）内の再選択タイマを、サービングセルの信号測定値（例えば信号強度、信号品質）がある時間間隔にわたって複数の閾値とどのように対比するのかに基づいて調整する。別の方法では、再選択の最大回数を上回り、高移動性ファクタを検出する場合に、セルのランキング基準をヒステリシス値およびスケーリング係数に基づいて調整する。さらに、セルの信号測定値を報告する方法を開示し、この方法により、隣接セルの信号測定値が報告範囲閾値を上回る場合に、ＴＴＴ（ｔｉｍｅ−ｔｏ−ｔｒｉｇｇｅｒ：トリガまでの時間）時間間隔を開始する。サービングセルの信号測定値がサービングセル閾値を下回る場合、ＴＴＴ間隔を調整し、それによりそのＴＴＴ間隔の間に測定報告を伝送する。
2010521119.tif 000002
【特許請求の範囲】
【請求項１】
無線送受信ユニット（ＷＴＲＵ）に関連するサービングセルのランキング基準を調整する無線通信方法であって、
サービングセルの信号測定を行うステップと、
前記サービングセルの信号測定値が第１の閾値を上回る場合にサービングセルのヒステリシス値を第１の値に設定するステップと、
前記サービングセルの前記信号測定値が第１の時間間隔にわたって前記第１の閾値を下回り、かつ第２の閾値を上回る場合に前記サービングセルのヒステリシス値を第２の値に設定するステップと、
前記サービングセルの前記信号測定値が第２の時間間隔にわたって前記第２の閾値を下回る場合に前記サービングセルのヒステリシス値を第３の値に設定するステップと、
前記サービングセルのランキング基準を、前記第１の値、前記第２の値、および前記第３の値のうちの１つに設定した後の前記サービングセルのヒステリシス値に基づいて調整するステップと
を具えたことを特徴とする方法。
【請求項２】
前記サービングセルの信号測定値は基準シンボル受信品質（ＲＳＲＱ）であり、前記第１の閾値および第２の閾値はＲＳＲＱ閾値であることを特徴とする請求項１記載の方法。
【請求項３】
前記サービングセルの信号測定値は受信信号コード電力(ＲＳＣＰ）であり、前記第１の閾値および第２の閾値はＲＳＣＰ閾値であることを特徴とする請求項１記載の方法。
【請求項４】
前記サービングセルの信号測定値は基準信号受信電力（ＲＳＲＰ）であり、前記第１の閾値および第２の閾値はＲＳＲＰ閾値であることを特徴とする請求項１記載の方法。
【請求項５】
前記サービングセルの信号測定値は、前記ＷＴＲＵに関連する様々な速度のレベルを計算するために使用されることを特徴とする請求項１記載の方法。
【請求項６】
前記第１の値は前記第２の値よりも大きく、前記第２の値は前記第３の値よりも大きく、かつ前記第１の閾値は前記第２の閾値よりも大きいことを特徴とする請求項１記載の方法。
【請求項７】
前記第１の値、第２の値、および第３の値は、ネットワークによって信号で伝えられることを特徴とする請求項１記載の方法。
【請求項８】
前記第１の値と少なくとも１つのスケーリング係数とがネットワークによって信号で伝えられ、前記第２の値および第３の値は、前記少なくとも１つのスケーリング係数を使用して前記第１の値から導き出されることを特徴とする請求項１記載の方法。
【請求項９】
前記信号測定値が前記第１の閾値および第２の閾値とどのように対比するのかに基づいて、前記ＷＴＲＵ内に位置する再選択タイマの時間値を調整するステップ
をさらに具えたことを特徴とする請求項１記載の方法。
【請求項１０】
前記第１の閾値および前記第２の閾値のうちの少なくとも１つを示すＲＲＣ（無線資源制御）メッセージを受信するステップ
をさらに具えたことを特徴とする請求項１記載の方法。
【請求項１１】
前記第１の値、前記第２の値、および前記第３の値のうちの少なくとも１つを示すＲＲＣ（無線資源制御）メッセージを受信するステップ
をさらに具えたことを特徴とする請求項１記載の方法。
【請求項１２】
無線送受信ユニット（ＷＴＲＵ）に関連する隣接セルのランキング基準を調整する無線通信方法であって、
サービングセルの信号測定を行うステップと、
前記サービングセルの信号測定値が第１の閾値を上回る場合に隣接セルのオフセット値を第１の値に設定するステップと、
前記サービングセルの前記信号測定値が第１の時間間隔にわたって前記第１の閾値を下回り、かつ第２の閾値を上回る場合に前記隣接セルのオフセット値を第２の値に設定するステップと、
前記サービングセルの前記信号測定値が第２の時間間隔にわたって前記第２の閾値を下回る場合に前記隣接セルのオフセット値を第３の値に設定するステップと、
前記隣接セルのランキング基準を、前記第１の値、前記第２の値、および前記第３の値のうちの１つに設定した後の前記隣接セルのオフセット値に基づいて調整するステップと
を具えたことを特徴とする方法。
【請求項１３】
前記サービングセルの信号測定値は基準シンボル受信品質（ＲＳＲＱ）であり、前記第１の閾値および第２の閾値はＲＳＲＱ閾値であることを特徴とする請求項１２記載の方法。
【請求項１４】
前記サービングセルの信号測定値は受信信号コード電力(ＲＳＣＰ）であり、前記第１の閾値および第２の閾値はＲＳＣＰ閾値であることを特徴とする請求項１２記載の方法。
【請求項１５】
前記サービングセルの信号測定値は基準信号受信電力（ＲＳＲＰ）であり、前記第１の閾値および第２の閾値はＲＳＲＰ閾値であることを特徴とする請求項１２記載の方法。
【請求項１６】
前記サービングセルの信号測定値は、前記ＷＴＲＵに関連する様々な速度のレベルを計算するために使用されることを特徴とする請求項１２記載の方法。
【請求項１７】
前記第１の値は前記第２の値よりも大きく、前記第２の値は前記第３の値よりも大きく、かつ前記第１の閾値は前記第２の閾値よりも大きいことを特徴とする請求項１２記載の方法。
【請求項１８】
前記第１の値、第２の値、および第３の値は、ネットワークによって信号で伝えられることを特徴とする請求項１２記載の方法。
【請求項１９】
前記第１の値と少なくとも１つのスケーリング係数とがネットワークによって信号で伝えられ、前記第２の値および第３の値は、前記少なくとも１つのスケーリング係数を使用して前記第１の値から導き出されることを特徴とする請求項１２記載の方法。
【請求項２０】
前記信号測定値が前記第１の閾値および第２の閾値とどのように対比するのかに基づいて、前記ＷＴＲＵ内に位置する再選択タイマの時間値を調整するステップ
をさらに具えたことを特徴とする請求項１２記載の方法。
【請求項２１】
前記第１の閾値および前記第２の閾値のうちの少なくとも１つを示すＲＲＣ（無線資源制御）メッセージを受信するステップ
をさらに具えたことを特徴とする請求項１２記載の方法。
【請求項２２】
前記第１の値、前記第２の値、および前記第３の値のうちの少なくとも１つを示すＲＲＣ（無線資源制御）メッセージを受信するステップ
をさらに具えたことを特徴とする請求項１２記載の方法。
【請求項２３】
サービングセルの信号測定を行うように構成される受信機と、
前記サービングセルの信号測定値が第１の閾値を上回る場合にサービングセルのヒステリシス値を第１の値に設定し、前記サービングセルの前記信号測定値が第１の時間間隔にわたって前記第１の閾値を下回り、かつ第２の閾値を上回る場合に前記サービングセルのヒステリシス値を第２の値に設定し、前記サービングセルの前記信号測定値が第２の時間間隔にわたって前記第２の閾値を下回る場合に前記サービングセルのヒステリシス値を第３の値に設定し、前記サービングセルのランキング基準を、前記第１の値、前記第２の値、および前記第３の値のうちの１つに設定した後の前記サービングセルのヒステリシス値に基づいて調整するように構成されるプロセッサと
を具えたことを特徴とする無線送受信ユニット（ＷＴＲＵ）。
【請求項２４】
前記サービングセルの信号測定値はＲＳＲＱ（基準シンボル受信品質）であり、前記第１の閾値および第２の閾値はＲＳＲＱ閾値であることを特徴とする請求項２３記載のＷＴＲＵ。
【請求項２５】
前記サービングセルの信号測定値はＲＳＣＰ（受信信号コード電力）であり、前記第１の閾値および第２の閾値はＲＳＣＰ閾値であることを特徴とする請求項２３記載のＷＴＲＵ。
【請求項２６】
前記サービングセルの信号測定値はＲＳＲＰ（基準信号受信電力）であり、前記第１の閾値および第２の閾値はＲＳＲＰ閾値であることを特徴とする請求項２３記載のＷＴＲＵ。
【請求項２７】
前記サービングセルの信号測定値は、前記ＷＴＲＵに関連する様々な速度のレベルを計算するために使用されることを特徴とする請求項２３記載のＷＴＲＵ。
【請求項２８】
前記第１の値は前記第２の値よりも大きく、前記第２の値は前記第３の値よりも大きく、かつ前記第１の閾値は前記第２の閾値よりも大きいことを特徴とする請求項２３記載のＷＴＲＵ。
【請求項２９】
前記第１の値、第２の値、および第３の値は、ネットワークによって信号で伝えられることを特徴とする請求項２３記載のＷＴＲＵ。
【請求項３０】
前記第１の値と少なくとも１つのスケーリング係数とがネットワークによって信号で伝えられ、前記第２の値および第３の値は、前記少なくとも１つのスケーリング係数を使用して前記第１の値から導き出されることを特徴とする請求項２３記載のＷＴＲＵ。
【請求項３１】
再選択タイマをさらに備え、前記再選択タイマの時間値は、前記信号測定値が前記第１の閾値および第２の閾値とどのように対比するのかに基づいて調整されることを特徴とする請求項２３記載のＷＴＲＵ。
【請求項３２】
前記受信機は、前記第１の閾値および前記第２の閾値のうちの少なくとも１つを示すＲＲＣ（無線資源制御）メッセージを受信するようにさらに構成されることを特徴とする請求項２３記載のＷＴＲＵ。
【請求項３３】
前記受信機は、前記第１の値、前記第２の値、および前記第３の値のうちの少なくとも１つを示すＲＲＣ（無線資源制御）メッセージを受信するようにさらに構成されることを特徴とする請求項２３記載のＷＴＲＵ。
【請求項３４】
サービングセルの信号測定を行うように構成される受信機と、
前記サービングセルの信号測定値が第１の閾値を上回る場合に隣接セルのオフセット値を第１の値に設定し、前記サービングセルの前記信号測定値が第１の時間間隔にわたって前記第１の閾値を下回り、かつ第２の閾値を上回る場合に前記隣接セルのオフセット値を第２の値に設定し、前記サービングセルの前記信号測定値が第２の時間間隔にわたって前記第２の閾値を下回る場合に前記隣接セルのオフセット値を第３の値に設定し、前記隣接セルのランキング基準を、前記第１の値、前記第２の値、および前記第３の値のうちの１つに設定した後の前記隣接セルのオフセット値に基づいて調整するように構成されるプロセッサと
を具えたことを特徴とする無線送受信ユニット（ＷＴＲＵ）。
【請求項３５】
前記サービングセルの信号測定値はＲＳＲＱ（基準シンボル受信品質）であり、前記第１の閾値および第２の閾値はＲＳＲＱ閾値であることを特徴とする請求項３４記載のＷＴＲＵ。
【請求項３６】
前記サービングセルの信号測定値はＲＳＣＰ（受信信号コード電力）であり、前記第１の閾値および第２の閾値はＲＳＣＰ閾値であることを特徴とする請求項３４記載のＷＴＲＵ。
【請求項３７】
前記サービングセルの信号測定値はＲＳＲＰ（基準信号受信電力）であり、前記第１の閾値および第２の閾値はＲＳＲＰ閾値であることを特徴とする請求項３４記載のＷＴＲＵ。
【請求項３８】
前記サービングセルの信号測定値は、前記ＷＴＲＵに関連する様々な速度のレベルを計算するために使用されることを特徴とする請求項３４記載のＷＴＲＵ。
【請求項３９】
前記第１の値は前記第２の値よりも大きく、前記第２の値は前記第３の値よりも大きく、かつ前記第１の閾値は前記第２の閾値よりも大きいことを特徴とする請求項３４記載のＷＴＲＵ。
【請求項４０】
前記第１の値、第２の値、および第３の値は、ネットワークによって信号で伝えられることを特徴とする請求項３４記載のＷＴＲＵ。
【請求項４１】
前記第１の値と少なくとも１つのスケーリング係数とがネットワークによって信号で伝えられ、前記第２の値および第３の値は、前記少なくとも１つのスケーリング係数を使用して前記第１の値から導き出されることを特徴とする請求項３４記載のＷＴＲＵ。
【請求項４２】
再選択タイマをさらに備え、前記再選択タイマの時間値は、前記信号測定値が前記第１の閾値および第２の閾値とどのように対比するのかに基づいて調整されることを特徴とする
請求項３４記載のＷＴＲＵ。
【請求項４３】
前記受信機は、前記第１の閾値および前記第２の閾値のうちの少なくとも１つを示すＲＲＣ（無線資源制御）メッセージを受信するようにさらに構成されることを特徴とする請求項３４記載のＷＴＲＵ。
【請求項４４】
前記受信機は、前記第１の値、前記第２の値、および前記第３の値のうちの少なくとも１つを示すＲＲＣ（無線資源制御）メッセージを受信するようにさらに構成されることを特徴とする請求項３４記載のＷＴＲＵ。
【請求項４５】
再選択タイマと、
サービングセルの信号測定を行うように構成される受信機と、
前記サービングセルの信号測定値が第１の閾値を上回る場合に前記再選択タイマを第１の値に設定し、前記サービングセルの前記信号測定値が第１の時間間隔にわたって前記第１の閾値を下回り、かつ第２の閾値を上回る場合に前記再選択タイマを第２の値に設定し、前記サービングセルの前記信号測定値が第２の時間間隔にわたって前記第２の閾値を下回る場合に前記再選択タイマを第３の値に設定するように構成されるプロセッサと
を具えたことを特徴とする無線送受信ユニット(ＷＴＲＵ）。
【請求項４６】
前記サービングセルの信号測定値はＲＳＲＱ（基準シンボル受信品質）であり、前記第１の閾値および第２の閾値はＲＳＲＱ閾値であることを特徴とする請求項４５記載のＷＴＲＵ。
【請求項４７】
前記サービングセルの信号測定値はＲＳＣＰ（受信信号コード電力）であり、前記第１の閾値および第２の閾値はＲＳＣＰ閾値であることを特徴とする請求項４５記載のＷＴＲＵ。
【請求項４８】
前記サービングセルの信号測定値はＲＳＲＰ（基準信号受信電力）であり、前記第１の閾値および第２の閾値はＲＳＲＰ閾値であることを特徴とする請求項４５記載のＷＴＲＵ。
【請求項４９】
前記サービングセルの信号測定値は、前記ＷＴＲＵに関連する様々な速度のレベルを計算するために使用されることを特徴とする請求項４５記載のＷＴＲＵ。
【請求項５０】
前記第１の値は前記第２の値よりも大きく、前記第２の値は前記第３の値よりも大きく、かつ前記第１の閾値は前記第２の閾値よりも大きいことを特徴とする請求項４５記載のＷＴＲＵ。
【請求項５１】
前記第１の値、第２の値、および第３の値は、ネットワークによって信号で伝えられることを特徴とする請求項４５記載のＷＴＲＵ。
【請求項５２】
前記第１の値と少なくとも１つのスケーリング係数とがネットワークによって信号で伝えられ、前記第２の値および第３の値は、前記少なくとも１つのスケーリング係数を使用して前記第１の値から導き出されることを特徴とする請求項４５記載のＷＴＲＵ。
【請求項５３】
前記受信機は、前記第１の閾値および前記第２の閾値のうちの少なくとも１つを示すＲＲＣ（無線資源制御）メッセージを受信するようにさらに構成されることを特徴とする請求項４５記載のＷＴＲＵ。
【請求項５４】
前記受信機は、前記第１の値、前記第２の値、および前記第３の値のうちの少なくとも１つを示すＲＲＣ（無線資源制御）メッセージを受信するようにさらに構成されることを特徴とする請求項４５記載のＷＴＲＵ。
【請求項５５】
ＷＴＲＵ（無線送受信ユニット）に関連するサービングセルのランキング基準を調整する無線通信方法であって、
前記ＷＴＲＵ内の再選択タイマを第１の値に設定するステップと、
ヒステリシス値を第２の値に設定するステップと、
所定の期間中に生じる前記ＷＴＲＵに関連するセル再選択の回数を監視するステップと、
前記ＷＴＲＵに関連する移動性ファクタを監視するステップと、
前記セル再選択の回数が第３の値を超え、高移動性ファクタが検出される場合に、前記サービングセルのランキングを下げるために、前記第１の値を第１のスケーリング係数で掛けることによって前記再選択タイマの第１の調整を行うか、前記ヒステリシス値の前記第２の値を第２のスケーリング係数で掛けることによって第２の調整を行うか、または前記第１の調整および前記第２の調整の両方を行うかを決定するステップと
を具えたことを特徴とする方法。
【請求項５６】
前記第１の調整および前記第２の調整の両方を行うかどうかに関する前記決定は、無線状態に基づくことを特徴とする請求項５５記載の方法。
【請求項５７】
前記第１のスケーリング係数は、前記第２のスケーリング係数と同じであることを特徴とする請求項５５記載の方法。
【請求項５８】
前記第１のスケーリング係数は、前記第２のスケーリング係数とは異なることを特徴とする請求項５５記載の方法。
【請求項５９】
前記第１の値は、隣接セルが前記ＷＴＲＵに関するセル再選択基準を満たすことが期待される時間を示すことを特徴とする請求項５５記載の方法。
【請求項６０】
前記第１のスケーリング係数および前記第２のスケーリング係数のうちの少なくとも１つを示すＲＲＣ（無線資源制御）メッセージを受信するステップ
をさらに具えたことを特徴とする請求項５５記載の方法。
【請求項６１】
ＷＴＲＵに関連する移動性ファクタを監視するように構成される受信機と、
再選択タイマと、
所定の期間中に生じる前記ＷＴＲＵに関連するセル再選択の回数を監視し、前記再選択タイマを第１の値に設定し、ヒステリシス値を第２の値に設定し、前記セル再選択の回数が第３の値を超え、高移動性ファクタが検出される場合に、サービングセルのランキングを下げるために、前記第１の値を第１のスケーリング係数で掛けることによって前記再選択タイマの第１の調整を行うか、前記ヒステリシス値の前記第２の値を第２のスケーリング係数で掛けることによって第２の調整を行うか、または前記第１の調整および前記第２の調整の両方を行うかを決定するように構成されるプロセッサと
を具えたことを特徴とする無線送受信ユニット（ＷＴＲＵ）。
【請求項６２】
前記第１の調整および前記第２の調整の両方を行うかどうかに関する決定は、無線状態に基づくことを特徴とする請求項６１記載のＷＴＲＵ。
【請求項６３】
前記第１のスケーリング係数は、前記第２のスケーリング係数と同じであることを特徴とする請求項６１記載のＷＴＲＵ。
【請求項６４】
前記第１のスケーリング係数は、前記第２のスケーリング係数とは異なることを特徴とする請求項６１記載のＷＴＲＵ。
【請求項６５】
前記第１の値は、隣接セルが前記ＷＴＲＵに関するセル再選択基準を満たすことが期待される時間を示すことを特徴とする請求項６１記載のＷＴＲＵ。
【請求項６６】
前記受信機は、前記第１のスケーリング係数および前記第２のスケーリング係数のうちの少なくとも１つを示すＲＲＣ（無線資源制御）メッセージを受信するようにさらに構成されることを特徴とする請求項６１記載のＷＴＲＵ。
【請求項６７】
ＷＴＲＵ（無線送受信ユニット）が行うセルの信号測定報告方法であって、
サービングセルの信号測定を行うステップと、
隣接セルの信号測定を行うステップと、
前記隣接セルの信号測定値が報告範囲閾値を上回る場合に、ＴＴＴ（ｔｉｍｅ−ｔｏ−ｔｒｉｇｇｅｒ：トリガまでの時間）時間間隔を開始するステップと、
前記サービングセルの信号測定値がサービングセル閾値を下回る場合、前記ＴＴＴ間隔を調整し、前記ＴＴＴ間隔が満了する前に、前記サービングセルの信号測定値が前記サービングセル閾値を下回ったことを報告し、かつハンドオーバコマンドを生成するために使用される前記隣接セルに関する情報を提供する測定報告を伝送するステップと
を具えたことを特徴とする方法。
【請求項６８】
前記サービングセルの信号測定値は、前記ＷＴＲＵに関連する様々な速度のレベルを計算するために使用されることを特徴とする請求項６７記載の方法。
【請求項６９】
前記ハンドオーバコマンドは、同一周波数ハンドオーバ、異周波数ハンドオーバ、および無線アクセス技術間（ＲＡＴ間）ハンドオーバのうちの少なくとも１つに関連することを特徴とする請求項６７記載の方法。
【請求項７０】
ＷＴＲＵ（無線送受信ユニット）が行うセルの信号測定報告方法であって、
サービングセルの信号測定を行うステップと、
隣接セルの信号測定を行うステップと、
前記隣接セルの信号測定値が報告範囲閾値を上回る場合に、ＴＴＴ（ｔｉｍｅ−ｔｏ−ｔｒｉｇｇｅｒ：トリガまでの時間）時間間隔を開始するステップと、
前記サービングセルの信号測定値がサービングセル閾値を下回り、所定の時間間隔の間前記閾値未満にとどまる場合、前記ＴＴＴ間隔を調整し、前記ＴＴＴ間隔の間に、前記サービングセルの信号測定値が前記サービングセル閾値を下回ったことを報告し、かつハンドオーバコマンドを生成するために使用される前記隣接セルに関する情報を提供する測定報告を伝送するステップと
を具えたことを特徴とする方法。
【請求項７１】
前記サービングセルの信号測定値は、前記ＷＴＲＵに関連する様々な速度のレベルを計算するために使用されることを特徴とする請求項７０記載の方法。
【請求項７２】
前記ハンドオーバコマンドは、同一周波数ハンドオーバ、異周波数ハンドオーバ、および無線アクセス技術間（ＲＡＴ間）ハンドオーバのうちの少なくとも１つに関連することを特徴とする請求項７０記載の方法。
【請求項７３】
サービングセルの信号測定および隣接セルの信号測定を行うように構成される受信機と、
ＴＴＴ（トリガまでの時間）時間タイマと、
前記隣接セルの信号測定値が報告範囲閾値を上回る場合に、前記ＴＴＴタイマが定めるＴＴＴ間隔を開始し、前記ＴＴＴ間隔を調整するように構成されるプロセッサと、
前記サービングセルの信号測定値がサービングセル閾値を下回る場合、前記ＴＴＴ間隔が満了する前に測定報告を伝送するように構成される送信機であって、前記測定報告は、前記サービングセルの信号測定値が前記サービングセル閾値を下回ったことを示し、かつハンドオーバコマンドを生成するために使用される前記隣接セルに関する情報を提供するものである、送信機と
を具えたことを特徴とする無線送受信ユニット(ＷＴＲＵ）。
【請求項７４】
前記サービングセルの信号測定値は、前記ＷＴＲＵに関連する様々な速度のレベルを計算するために使用されることを特徴とする請求項７３記載のＷＴＲＵ。
【請求項７５】
前記ハンドオーバコマンドは、同一周波数ハンドオーバ、異周波数ハンドオーバ、および無線アクセス技術間（ＲＡＴ間）ハンドオーバのうちの少なくとも１つに関連することを特徴とする請求項７３記載の方法。
【請求項７６】
サービングセルの信号測定および隣接セルの信号測定を行うように構成される受信機と、
ＴＴＴ（トリガまでの時間）時間タイマと、
前記隣接セルの信号測定値が報告範囲閾値を上回る場合に、前記ＴＴＴタイマが定めるＴＴＴ間隔を開始し、前記ＴＴＴ間隔を調整するように構成されるプロセッサと、
前記サービングセルの信号測定値がサービングセル閾値を下回り、所定の時間間隔の間前記閾値未満にとどまる場合、前記ＴＴＴ間隔の間に測定報告を伝送するように構成される送信機であって、前記測定報告は、前記サービングセルの信号測定値が前記サービングセル閾値を下回ったことを示し、かつハンドオーバコマンドを生成するために使用される前記隣接セルに関する情報を提供するものである、送信機と
を具えたことを特徴とする無線送受信ユニット（ＷＴＲＵ）。
【請求項７７】
前記サービングセルの信号測定値は、前記ＷＴＲＵに関連する様々な速度のレベルを計算するために使用されることを特徴とする請求項７６記載のＷＴＲＵ。
【請求項７８】
前記ハンドオーバコマンドは、同一周波数ハンドオーバ、異周波数ハンドオーバ、および無線アクセス技術間（ＲＡＴ間）ハンドオーバのうちの少なくとも１つに関連することを特徴とする請求項７６記載の方法。
【請求項７９】
ＷＴＲＵ（無線送受信ユニット）に関連するサービングセルのランキング基準を調整する無線通信方法であって、
複数の閾値を定めるステップと、
サービングセルの信号測定を行うステップと、
前記サービングセルの信号測定値が前記複数の閾値とどのように対比するのかに依拠する特定の値にヒステリシス値を設定するステップと、
前記サービングセルのランキング基準を、前記特定の値に設定した後の前記ヒステリシス値に基づいて調整するステップと
を具えたことを特徴とする方法。
【請求項８０】
前記サービングセルの信号測定値はＲＳＲＱ（基準シンボル受信品質）であることを特徴とする請求項７９記載の方法。
【請求項８１】
前記サービングセルの信号測定値はＲＳＣＰ（受信信号コード電力）であることを特徴とする請求項７９記載の方法。
【請求項８２】
前記サービングセルの信号測定値はＲＳＲＰ（基準信号受信電力）であることを特徴とする請求項７９記載の方法。
【請求項８３】
前記サービングセルの信号測定値は、前記ＷＴＲＵに関連する様々な速度のレベルを計算するために使用されることを特徴とする請求項７９記載の方法。
【請求項８４】
ＷＴＲＵ（無線送受信ユニット）内の再選択タイマを調整する無線通信方法であって、
複数の閾値を定めるステップと、
サービングセルの信号測定を行うステップと、
前記サービングセルの信号測定値が前記複数の閾値とどのように対比するのかに基づいて前記再選択タイマを調整するステップと
を具えたことを特徴とする方法。
【請求項８５】
前記サービングセルの信号測定値はＲＳＲＱ（基準シンボル受信品質）であることを特徴とする請求項８４記載の方法。
【請求項８６】
前記サービングセルの信号測定値はＲＳＣＰ（受信信号コード電力）であることを特徴とする請求項８４記載の方法。
【請求項８７】
前記サービングセルの信号測定値はＲＳＲＰ（基準信号受信電力）であることを特徴とする請求項８４記載の方法。
【請求項８８】
前記サービングセルの信号測定値は、前記ＷＴＲＵに関連する様々な速度のレベルを計算するために使用されることを特徴とする請求項８４記載の方法。
【請求項８９】
ＷＴＲＵ（無線送受信ユニット）に関連する隣接セルのランキング基準を調整する無線通信方法であって、
複数の閾値を定めるステップと、
サービングセルの信号測定を行うステップと、
前記サービングセルの信号測定値が前記複数の閾値とどのように対比するのかに依拠する特定の値に隣接セルのオフセット値を設定するステップと、
前記隣接セルのランキング基準を、前記特定の値に設定した後の前記隣接セルのオフセット値に基づいて調整するステップと
を具えたことを特徴とする方法。
【請求項９０】
前記サービングセルの信号測定値はＲＳＲＱ（基準シンボル受信品質）であることを特徴とする請求項８９記載の方法。
【請求項９１】
前記サービングセルの信号測定値はＲＳＣＰ（受信信号コード電力）であることを特徴とする請求項８９記載の方法。
【請求項９２】
前記サービングセルの信号測定値はＲＳＲＰ（基準信号受信電力）であることを特徴とする請求項８９記載の方法。
【請求項９３】
前記サービングセルの信号測定値は、前記ＷＴＲＵに関連する様々な速度のレベルを計算するために使用されることを特徴とする請求項８９記載の方法。
【請求項９４】
ＷＴＲＵ（無線送受信ユニット）内の再選択タイマを調整する無線通信方法であって、
複数の閾値を定めるステップと、
サービングセルの信号測定を行うステップと、
前記サービングセルの信号測定値が前記複数の閾値とどのように対比するのかに基づいて前記再選択タイマを調整するステップと
を具えたことを特徴とする方法。
【請求項９５】
前記サービングセルの信号測定値はＲＳＲＱ（基準シンボル受信品質）であることを特徴とする請求項９４記載の方法。
【請求項９６】
前記サービングセルの信号測定値はＲＳＣＰ（受信信号コード電力）であることを特徴とする請求項９４記載の方法。
【請求項９７】
前記サービングセルの信号測定値はＲＳＲＰ（基準信号受信電力）であることを特徴とする請求項９４記載の方法。
【請求項９８】
前記サービングセルの信号測定値は、前記ＷＴＲＵに関連する様々な速度のレベルを計算するために使用されることを特徴とする請求項９４記載の方法。
【発明の詳細な説明】
【技術分野】
【０００１】
本発明は、無線通信に関する。
【背景技術】
【０００２】
第３世代パートナーシッププロジェクト（３ＧＰＰ）は、最近、スペクトル効率の向上、レイテンシの低減、ユーザエクスペリエンスの高速化、ならびにより豊富なアプリケーションおよび低コストサービスを提供するために、新技術、新しいネットワークアーキテクチャおよび構成、ならびに新しいアプリケーションおよびサービスを無線セルラネットワークにもたらすため、ロングタームエボリューション（ＬＴＥ）プログラムを開始した。ＬＴＥは、ユニバーサル陸上無線アクセスネットワーク（発展型ＵＴＲＡＮ）の実現を目指している。この概念はＬＴＥに適用され、リリース９９、高速ダウンリンクパケットアクセス（ＨＳＤＰＡ）、高速アップリンクパケットアクセス（ＨＳＵＰＡ）、高速パケットアクセス（ＨＳＰＡ）拡張版、他の任意のリリースなど、他のすべてのユニバーサルモバイルテレコミュニケーションシステム（ＵＭＴＳ）システムにも適用される。
【０００３】
ＵＭＴＳシステムでは、ＷＴＲＵがセル上にキャンプするとき、そのＷＴＲＵは一連の基準に従ってより良いセルを定期的に探索する。より良いセルが見つかった場合、そのセルを選択する。以前のＵＭＴＳシステムでは、セルの再選択は、ＷＴＲＵが、アイドル状態、無線資源制御（ＲＲＣ）セルフォワードアクセスチャネル（ＦＡＣＨ）状態、およびＲＲＣセル一斉呼び出しチャネル（ＰＣＨ）状態のうちの１つにある間に行うことができる。ＬＴＥ＿ｉｄｌｅ（ＬＴＥ＿アイドル）およびＬＴＥ＿ａｃｔｉｖｅ（ＬＴＥ＿アクティブ）の２つの状態のみを有するＬＴＥでは、ＷＴＲＵは、ＬＴＥ＿ｉｄｌｅ状態でのみセル再選択を行うことができる。
【０００４】
再選択とハンドオーバとは非常に異なるメカニズムである。再選択は、ＲＲＣ＿ｉｄｌｅ状態のＷＴＲＵによって行われる。ハンドオーバは、ＲＲＣ＿ｃｏｎｎｅｃｔｅｄ（ＲＲＣ＿接続）状態のＷＴＲＵによって行われる。再選択は自発的に（すなわち、ネットワークによって信号で伝えられるいくつかのパラメータに基づいて）行われる。ハンドオーバは、ネットワークによって制御され、指示される。
【０００５】
以前のＵＭＴＳシステムでは、ＷＴＲＵがあるセル上にキャンプすることを決定する前に、そのＷＴＲＵは、自らがキャンプしているセルに関するいくつかの基本的基準を確認する必要がある。本質的には、ＷＴＲＵがセル上にキャンプするには、品質信号基準Ｓqual＞０および受信信号レベル基準Ｓrxlev＞０の条件が満たされる必要があり、ただしＳqualおよびＳrxlevは次式の通りに測定される。
Ｓqual＝Ｅc／Ｉo−Ｑqualmin                                        式（１）
ただし、Ｅcは、そのセルのチャネルコード電力であり、Ｉoはそのセル内の総干渉である。したがって、Ｅc／Ｉoは、チャネル（すなわちパイロットチャネル）平均電力の総信号電力に対する無次元比であり、ＷＴＲＵによって測定される。Ｑqualminは、Ｅc／Ｉoに基づく最小要求品質測度（ｑｕａｌｉｔｙ  ｍｅａｓｕｒｅ）である。Ｑqualminは、システムがブロードキャストするＳＩＢ  ３（システム情報ブロック３）から抽出される。
Srxlev = RSCP - Qrxlevmin - max(WTRU_TXPWR_MAX_RACH-P_MAX, 0)、          式（２）
ただし、ＲＳＣＰ（受信信号コード電力：ｒｅｃｅｉｖｅｄ  ｓｉｇｎａｌ  ｃｏｄｅ  ｐｏｗｅｒ）はＷＴＲＵによって測定され、ＱrxlevminおよびＷＴＲＵ＿ＴＸＰＷＲ＿ＭＡＸ＿ＲＡＣＨはＳＩＢ  ３内で伝送される。Ｑqualminは、Ｅc／Ｉoに基づく最小要求品質測度であり、Ｑrxlevminは、ＲＳＣＰに基づく最小要求品質測度であり、ＷＴＲＵ＿ＴＸＰＷＲ＿ＭＡＸ＿ＲＡＣＨは、ランダムアクセスチャネル（ＲＡＣＨ）の最大許容アップリンク（ＵＬ）伝送（ＴＸ）電力）である。
【０００６】
以前のＵＭＴＳのバージョンでは、測定量がＥc／ＩoまたはＲＳＣＰであったのに対し、ＬＴＥでは測定量はまだ決定されていない。ＲＳＲＰ（基準シンボル受信電力：ｒｅｆｅｒｅｎｃｅ  ｓｙｍｂｏｌ  ｒｅｃｅｉｖｅｄ  ｐｏｗｅｒ）は、ＲＳＣＰに類似するＬＴＥ測定値である。ＲＳＲＱ（基準シンボル受信品質：ｒｅｆｅｒｅｎｃｅ  ｓｙｍｂｏｌ  ｒｅｃｅｉｖｅｄ  ｑｕａｌｉｔｙ）もまた、Ｅc／Ｉoに類似するＬＴＥ測定値である。
【０００７】
Ｑqualmin、Ｑrxlevmin、およびＷＴＲＵ＿ＴＸＰＷＲ＿ＭＡＸ＿ＲＡＣＨに加え、セル再選択のために以下の他のパラメータがＳＩＢ  ３内で伝送される。
１）Ｓintrasrch（任意）：ＷＴＲＵは、式（１）で定義されるＳqualが、Ｓintrasrch以下の場合に、同一周波数の隣接セルを測定する。Ｓintrasrchがネットワークによって指定されていない場合、ＷＴＲＵは常に同一周波数の隣接セルを測定する。
２）Ｓintersrch（任意）：ＷＴＲＵは、式（１）で定義されるＳqualが、Ｓintersrch以下の場合に、異周波数の隣接セルを測定する。Ｓintersrchがネットワークによって指定されていない場合、ＷＴＲＵは常に異周波数の隣接セルを測定する。
３）ＳsearchRAT（任意）：ＷＴＲＵは、式（１）で定義されるＳqualが、ＳsearchRAT以下の場合に、ＲＡＴが異なる隣接セルを測定する。ＳsearchRATがネットワークによって指定されていない場合、ＷＴＲＵは常にＲＡＴが異なる隣接セルを測定する。指定されていない場合は、常にＲＡＴが異なる隣接セルを測定する。
４）Ｑhyst1s：これは、サービングセルのランクを上げるために、（ＲＳＣＰによって測定される）サービングセルの信号品質に加えられるヒステリシス値である。
５）Ｑhyst2s：これは、サービングセルのランクを上げるために、（Ｅc／Ｉoによって測定される）サービングセルの信号品質に加えられるヒステリシス値である。
６）Ｔresel：ＷＴＲＵが隣接セルに対して再選択する前に、その隣接セルがセル再選択基準を満たさなければならない時間。
【０００８】
以下は、ＳＩＢ  １１内で伝送される重要なパラメータの一部である。
１）隣接セルリスト（ＮＣＬ）。
２）Ｑoffset1s：ＲＳＣＰに基づいてサービングセルをランク付けするために使用する品質オフセット。
３）Ｑoffset2s：Ｅc／Ｉoに基づいてサービングセルをランク付けするために使用する品質オフセット。
４）ＷＴＲＵ＿ＴＸＰＷＲ＿ＭＡＸ＿ＲＡＣＨ：隣接セルに関する最大許容ＵＬ  ＴＸ電力。
５）Ｑqualmin：Ｅc／Ｉoに基づく最小要求品質測度。
６）Ｑrxlevmin：ＲＳＣＰに基づく最小要求品質測度。
【０００９】
これらのパラメータを使用して、ＷＴＲＵは自らのサービングセルおよび隣接セルをランク付けすることができる。サービングセルのランキングは、次式で与えられる。
Ｒａｎｋ＿ｓ＝Ｅc／Ｉo＋Ｑhyst2＋Ｑoffmbms                        式（３）
【００１０】
信号で伝えられる値Ｑoffmbmsは、マルチメディアブロードキャスト／マルチメディアサービスの優先周波数層（ＭＢＭＳ  ＰＬ）に属するセル（サービングまたは隣接）に加えられるオフセットである。
上述のように、Ｑhyst2sは、サービングセルのランキングのために、現在のＵＭＴＳシステムにおいてＳＩＢ  ３内でネットワークがＷＴＲＵに指示する静的パラメータである。
【００１１】
隣接セルのランキングは、次式で与えられる。
ＮＲａｎｋ＿ｎ＝Ｅc／Ｉo−Ｑoffset2＋Ｑoffmbms                    式（４）
【００１２】
測定量がＲＳＣＰの場合、式（４）と同様のランキング式を適用することができる。特定のセルが再選択されるには、その隣接セルのランキングが、Ｔreselに等しい期間にわたってサービングセルのランキングを上回る必要がある。たとえサービングセルのランキングが急速に下がるとしても、ランキングも再選択タイマの値Ｔreselも、より速い速度で隣接セルに対して再選択するように変更されることはない。
【００１３】
再選択基準の他に、高移動性状態（すなわちＷＴＲＵが高速で移動している）に関するスケーラビリティ係数を実装することができる。したがって、特定の期間ＴCRmaxの間に生じるセル再選択の回数が値ＮCRを超える場合、高移動性状態が検出されている。高移動性状態が検出されると、スケーラビリティ係数がＳＩＢ  ３内の任意パラメータとしてネットワークによって信号で伝えられる場合は、同一周波数選択もしくは異周波数選択、またはＲＡＴ間選択が実施されているのかに応じて、再選択タイマの値Ｔreselにそのスケーラビリティ係数が掛けられる。
【００１４】
上記の移動性状態が効果的でなくなる多くのシナリオがある。例えば、ＷＴＲＵは、サービングセルからの信号が弱くなる状態にあり、かつ移動性シナリオの状態にないことがある。そのような場合、ＷＴＲＵは呼を持続することができない可能性があり、ＷＴＲＵがアイドル状態で圏外になることを防ぐために、またはＷＴＲＵがＦＡＣＨ状態などの他の状態でデータを失うことを防ぐために、より迅速に隣接セルに対して再選択しなければならなくなる。
【００１５】
あるいは、ＷＴＲＵが高移動性シナリオの状態にあるが、単一の広大なセルにわたってであり、そのためそのＷＴＲＵがセル再選択の既存の基準を満たさない可能性がある。そのような場合にはサービングセルが急速に低下していることがあり、この場合もやはり、ＷＴＲＵは早急に隣接セルに対して再選択しなければならなくなる。
【００１６】
あるいは、ＷＴＲＵは、ＳＩＢを読み取るのに長時間かかることが原因でセルへの再選択に長時間かかることがあり、または、ＷＴＲＵは、別のセルに再選択することができる前にサービングセルの信号品質が急速に落ちたためにセル再選択の間に圏外になっている可能性があり、この場合、ＷＴＲＵは高移動性の基準を満たすことすらない可能性がある。
【００１７】
ＷＴＲＵがアクティブ状態にある場合、そのＷＴＲＵは隣接セルへのハンドオーバを行わなければならない。ＵＭＴＳシステムでは、このハンドオーバは、ソフトハンドオーバまたはハードハンドオーバのどちらでもよい。ＬＴＥでは、ＷＴＲＵはハードハンドオーバを行うことのみ許可されている。
【００１８】
アクティブ状態では、ＷＴＲＵは、ＳＩＢ  １１内または測定制御メッセージ内で送信される隣接リスト内のセルを常に測定する。ＬＴＥに関して論じているように、隣接リストが切り捨てられまたは削除される場合も、ＷＴＲＵは隣接セルを探索および検出し、それらのセルに対して測定を行うことができる。
【００１９】
隣接セルが報告範囲（ｒｅｐｏｒｔｉｎｇ  ｒａｎｇｅ）閾値を超えるか、または開始基準を満たすと、ＷＴＲＵは、測定報告を送信することができる前に待たなければならない最低時間を定義するトリガまでの時間（ＴＴＴ：ｔｉｍｅ−ｔｏ−ｔｒｉｇｇｅｒ）を開始する。ＴＴＴの持続時間を定めるために、ＴＴＴタイマを使用することができる。ＴＴＴは、イベントごとにＳＩＢまたは測定制御メッセージ内で指定される。ＴＴＴが満了し、隣接セルがＴＴＴの全持続時間の間に閾値を上回ったままであった場合、測定報告が適切なイベントとともにトリガされる。次いで、ネットワークが、アクティブセット更新（ＡＳＵ：ａｃｔｉｖｅ  ｓｅｔ  ｕｐｄａｔｅ）またはハンドオーバコマンドで応答する。ＴＴＴの間に、隣接セルの信号測定値（例えば信号強度、信号品質）が事前設定された信号品質を下回る場合、その隣接セルに対するＴＴＴが終了される。ＷＴＲＵがその隣接セルに対して再度測定を開始するには、そのセルは再び開始基準を上回らなければならない。
【００２０】
このプロセス中にサービングセルの信号が急速に弱まるか、またはサービングセルの信号品質が劣化する場合、ＷＴＲＵは、ネットワークからＡＳＵまたはハンドオーバコマンドを受信する状況にない可能性がある。さらに、隣接セルが閾値のわずかに上／下を変動し、ＷＴＲＵにＴＴＴを開始および停止させることがある。したがって、ＷＴＲＵは、隣接セルを再選択するために測定報告を首尾よくトリガすることがまったくできない。
【発明の概要】
【発明が解決しようとする課題】
【００２１】
ソフトハンドオーバがあるＵＭＴＳシステムでは、この問題は目立って見られていない。しかし、ソフトハンドオーバがないＬＴＥでは、この問題はより顕著である。したがって、ＷＴＲＵのサービングセルの状態を考慮するより強固なハンドオーバ方式が望まれる。
【課題を解決するための手段】
【００２２】
ＵＭＴＳにおける既存のＷＴＲＵ速度検出メカニズムの欠点を克服するための様々な方法を開示する。既存のＷＴＲＵ速度検出メカニズム、およびそれらのメカニズムがＵＭＴＳから適用される方法は十分ではない。したがって、既存のＷＴＲＵ速度検出メカニズムの欠点を克服するために、信号測定値（例えば信号強度、信号品質）を使用する。それに応じて、ヒステリシス値や再選択タイマの時間値Ｔreselなどの一部の再選択パラメータを変更する。また、ヒステリシス品質値は、ＵＭＴＳにおける既存のＷＴＲＵ速度検出技法によってスケーリングすることができる。ハンドオーバに関しては、サービング信号の測定を行い、ＴＴＴを変更することが要求されるシナリオがあり得る。したがって、サービング信号の測定値はＷＴＲＵの速度に相関するので、ＴＴＴはＷＴＲＵの速度に従って変更される。
【００２３】
ＷＴＲＵに関連するサービングセルのランキング基準を調整する無線通信方法を本明細書に開示する。サービングセルの信号測定（例えばＲＳＲＱ、ＲＳＣＰ、ＲＳＲＰ）を行う。サービングセルの信号測定値が第１の閾値を上回る場合、そのサービングセルのヒステリシス値を第１の値に設定する。サービングセルの信号測定値が第１の時間間隔にわたって第１の閾値を下回り、かつ第２の閾値を上回る場合、そのサービングセルのヒステリシス値を第２の値に設定する。サービングセルの信号測定値が第２の時間間隔にわたって第２の閾値を下回る場合、そのサービングセルのヒステリシス値を第３の値に設定する。サービングセルのランキング基準を、第１の値、第２の値、および第３の値のうちの１つに設定した後のサービングセルのヒステリシス値に基づいて調整する。
【００２４】
ＷＴＲＵに関連する隣接セルのランキング基準を調整する無線通信方法も本明細書に開示する。サービングセルの信号測定（例えばＲＳＲＱ、ＲＳＣＰ、ＲＳＲＰ）を行う。サービングセルの信号測定値が第１の閾値を上回る場合、隣接セルのオフセット値を第１の値に設定する。サービングセルの信号測定値が第１の時間間隔にわたって第１の閾値を下回り、かつ第２の閾値を上回る場合、その隣接セルのオフセット値を第２の値に設定する。サービングセルの信号測定値が第２の時間間隔にわたって第２の閾値を下回る場合、その隣接セルのオフセット値を第３の値に設定する。隣接セルのランキング基準を、第１の値、第２の値、および第３の値のうちの１つに設定した後の隣接セルのオフセット値に基づいて調整する。
【００２５】
ＷＴＲＵに関連するサービングセルのランキング基準を調整する無線通信方法も本明細書に開示する。ＷＴＲＵ内の再選択タイマを第１の値に設定する。ヒステリシス値を第２の値に設定する。所定の期間中に生じるそのＷＴＲＵに関連するセル再選択の回数を監視する。そのＷＴＲＵに関連する移動性ファクタを監視する。セル再選択の回数が第３の値を超え、高移動性ファクタが検出される場合に、サービングセルのランキングを下げるために、第１の値を第１のスケーリング係数で掛けることによって再選択タイマを調整するかどうか、および／またはヒステリシス値の第２の値を第２のスケーリング係数で掛けることによってサービングセルのランキング基準を調整するかどうかに関する決定を行う。
【００２６】
ＷＴＲＵ内の再選択タイマを調整する無線通信方法も本明細書に開示する。サービングセルの信号測定（例えばＲＳＲＱ、ＲＳＣＰ、ＲＳＲＰ）を行う。サービングセルの信号測定値が第１の閾値を上回る場合、ＷＴＲＵ内の再選択タイマを第１の値に設定する。サービングセルの信号測定値が第１の時間間隔にわたって第１の閾値を下回り、かつ第２の閾値を上回る場合、再選択タイマを第２の値に設定する。サービングセルの信号測定値が第２の時間間隔にわたって第２の閾値を下回る場合、再選択タイマを第３の値に設定する。
【００２７】
ＷＴＲＵが行うセルの信号測定報告方法も本明細書に開示する。サービングセルの信号測定および隣接セルの信号測定を行う。隣接セルの信号測定値が報告範囲閾値を上回る場合に、ＴＴＴ間隔を開始する。サービングセルの信号測定値がサービングセル閾値を下回る場合、ＴＴＴ間隔が満了する前に、サービングセルの信号測定値がサービングセル閾値を下回ったことを報告し、かつハンドオーバコマンドを生成するために使用される隣接セルに関する情報を提供する測定報告を伝送する。あるいは、サービングセルの信号測定値がサービングセル閾値を下回り、所定の時間間隔の間その閾値未満にとどまる場合、ＴＴＴ間隔の間に、サービングセルの信号測定値がサービングセル閾値を下回ったことを報告し、かつハンドオーバコマンドを生成するために使用される隣接セルに関する情報を提供する測定報告を伝送する。
【００２８】
より詳細な理解は、例として添付の図面とともに示す以下の説明から得ることができる。
【図面の簡単な説明】
【００２９】
【図１】ハンドオーバの決定で使用する時間および他の量に伴う様々な信号の変化を示す図である。
【図２】セル再選択プロセスの流れ図である。
【図３】ＴＴＴのスケーリングを使用するハンドオーバ手順の流れ図である。
【図４】本明細書に開示する方法を実施するために使用するＷＴＲＵの構成の一例を示す図である。
【図５】ＷＴＲＵに関連するサービングセルのランキング基準を調整する無線通信方法の流れ図である。
【図６】ＷＴＲＵに関連する隣接セルのランキング基準を調整する無線通信方法の流れ図である。
【図７】ＷＴＲＵに関連するサービングセルのランキング基準を調整する無線通信方法の流れ図である。
【図８】ＷＴＲＵ内の再選択タイマを調整する無線通信方法の流れ図である。
【図９】ＷＴＲＵが行うセルの信号測定報告方法の流れ図である。
【図１０】ＷＴＲＵが行うセルの信号測定報告方法の流れ図である。
【発明を実施するための形態】
【００３０】
以後言及する際、「無線送受信ユニット（ＷＴＲＵ）」という用語は、ユーザ機器（ＵＥ）、移動局、固定もしくはモバイル加入者ユニット、ページャ、携帯電話、携帯情報端末（ＰＤＡ）、コンピュータ、または無線環境で動作可能な他の任意のタイプのユーザ装置を含むが、これだけに限定されることはない。
【００３１】
以後言及する際、「基地局」という用語は、ノードＢ、サイトコントローラ、アクセスポイント（ＡＰ）、または無線環境で動作可能な他の任意のタイプのインターフェース接続装置を含むが、これだけに限定されることはない。
【００３２】
本明細書で開示する第１の無線通信方法では、焦点を当てるシステムはＬＴＥであり、ＲＳＲＱおよびＲＳＲＰを測定量として使用する。あるいは、本発明に影響を与えることなく、他の測定量を選択することもできる。下記の事項は、現在のＵＭＴＳシステムにもＬＴＥにも適用することができる。
【００３３】
Ｑhyst1sは、信号で伝えられるヒステリシス値である。以下の方法では、このヒステリシス値をスケーリングし、移動性の測度であるサービング信号測定値（ＲＳＲＱ、ＲＳＣＰ、ＲＳＲＰ）に基づくＱhystと呼ばれる新しいヒステリシス値を導入する。
【００３４】
セルの再選択が行われる前にサービングセルの信号品質があまりに急速に落ち得る、または高移動性の基準が満たされない可能性がある状況が発生し得る。したがって、ＷＴＲＵは、セル再選択の失敗に見舞われることになる。この問題は、セルの再選択を行う間にサービングセルの品質を考慮に入れることによって対処することができる。セル上にキャンプするための基準は前のシステムと同じままであるかまたは変更されてよいが、ランキング基準自体の変更および再選択タイマの変更についてこれから開示する。
【００３５】
サービングセルおよび隣接セルをランク付けするための多くの改変形態が可能である。以下のすべての式で、前述のようにＥc／Ｉoに類似するとみなされる測定量ＲＳＲＱを使用することに留意されたい。前述のようにＲＳＣＰに類似するとみなされる測定量ＲＳＲＰを用いて、同様の一組の式を書くことができる。以下の式では、量ＲＳＲＱは、他の任意の適した「信号品質」測度で、一方、量ＲＳＣＰは、他の任意の適した「信号レベル」測度または他の任意の適した測度で置き換えられることに留意されたい。
【００３６】
サービングセルに関しては、ランキング基準は同じに保たれ、つまり次式で表される。
Ｒａｎｋ＿ｓ＝ＲＳＲＱs＋Ｑhyst2s＋Ｑoffmbms                      式（５）
ただし、ＲＳＲＱsは、サービングセルの基準シンボル受信品質である。
【００３７】
しかし、隣接セルに関しては、ランキング基準を次式のように変更する。
Ｒａｎｋ＿ｎ＝ＲＳＲＱn−Ｍｉｎ（Ｑoffset2，Ｑhyst）＋Ｑoffmbms  式（６）
ただし、ＲＳＲＱnは、隣接セルｎの基準シンボル受信品質である。または概して次式のように変更される。
Rank_n = function (RSRQn, Qoffset2, Qoffmbms, RSRQs)                        式（７）
【００３８】
Ｒａｎｋ＿ｎをＲＳＲＱsに基づいて適応される関数（ｆｕｎｃｔｉｏｎ）にすることにより、本発明者らはランキング基準を強化し、既存のセル再選択方式の潜在的な問題を回避する。
【００３９】
Ｑhystと呼ばれる追加のパラメータを導入することができ、このパラメータはＷＴＲＵによって次式のように適用される。
ＲＳＲＱs＞ｘ                                                        式（８）
の場合、
ただし、ｘはサービングセルの信号測定閾値であり、
Ｑhyst＝ｚ１ｄＢ                                                    式（９）
になり、さもなければ、時間間隔Ｔ11にわたって
ｘ＞ＲＳＲＱs＞ｙ                                                  式（１０）
の場合、
ただし、Ｔ11は、その間はＲＳＲＱが２つの閾値ｘとｙとの間になければならない時間間隔を示すタイマの値であり、
Ｑhyst＝ｚ３ｄＢ                                                  式（１１）
になる。さもなければ、時間間隔Ｔ12にわたって
ＲＳＲＱs＜ｙ                                                      式（１２）
の場合、
Ｑhyst＝ｚ２ｄＢ                                                  式（１３）
になり、ただし、ｚ１＞ｚ３＞ｚ２、およびｘ＞ｙである。
【００４０】
値ｘ、ｙ、ｚ１、ｚ２、ｚ３、Ｔ11、およびＴ12は、実装に依存するか、ネットワークによって定義されるか、またはシミュレーションの結果後に標準で定義されてよい。Ｔ11およびＴ12は、ＲＳＲＱに関する条件が満たされなければならない時間間隔である。サービングセル閾値またはＱhyst値は、ＲＲＣメッセージによって（例えば、１つまたは複数のＳＩＢ内で）動的に通信することができる。
【００４１】
ＷＴＲＵのサービングセルの信号測定値が閾値を下回る場合、この場合はＲＳＲＱである測定量からより低い値を減じることにより隣接セルのランクが上げられる。サービングセルの信号測定値が閾値を上回る場合、値Ｑoffset2または量ｚ１もしくはｚ３は、閾値に応じて、ならびにｚ１およびｚ３の値に応じてなお減じることができる。このアルゴリズムが効果的に機能するために、ｚ２は少なくともＱoffset2より少なくなければならない。
【００４２】
あるいは、２レベルの閾値を備えることもでき、この閾値では、値ｘを上回る場合、ＵＭＴＳシステムで今日使用されているのと同様のヒステリシス値を使用することができ、または新しいヒステリシス値ｚ１を使用することができる。ＷＴＲＵの信号強度が時間間隔Ｔ13にわたって値ｘを下回る場合、Ｑhyst値ｚ２を使用することができる。あるいは、ネットワークが新しい値ｘを信号で伝える代わりに、ＷＴＲＵは、Ｑqualminなどの既存の閾値の１つを値ｘについて使用することができ、そのような場合にはネットワークが任意の新しい閾値を信号で伝える必要がなくなる。また、時間間隔Ｔ13に関して、ＷＴＲＵはネットワークによって信号で伝えられる既存の時間間隔値の１つを使用することができ、ことによると新しい時間間隔値Ｔ13がネットワークによって信号で伝えられる必要がないこともある。
【００４３】
あるいは、様々な値を定義する代わりに、ネットワークは１つの値（例えばｚ１）と、ＷＴＲＵがｚ２およびｚ３を計算するのを助けるその値に伴うスケーラビリティ値とを信号で伝えることもできる。
【００４４】
あるいは、３レベルの代わりに、ｎ≧２であるｎレベルを使用することができ、ただし、この場合も閾値は実装に依存するか、ネットワークによって定義されるか、またはシミュレーションの結果後に標準で定義されてよい。これらの閾値は、ＲＲＣメッセージによって（例えば、１つまたは複数のＳＩＢ内で）動的に通信することができる。
【００４５】
あるいは、上記に開示した式を以下のように書くこともできる。
サービングセルに関して、ランキング基準を次式のように変更する。
Ｒａｎｋ＿ｓ＝ＲＳＲＱs＋Ｍｉｎ（Ｑhyst2，Ｑhyst）＋Ｑoffmbms  式（１４）
隣接セルに関しては、セルのランキングは同じに保たれ、次式で表される。
Ｒａｎｋ＿ｎ＝ＲＳＲＱn−Ｑoffset2＋Ｑoffmbms                  式（１５）
Ｑhystの計算は上記に説明したものと同じになる。
【００４６】
あるいは、値Ｑhyst2またはＱoffset2をなくし、式を以下のように書くこともできる。
サービングセルに関して、ランキング基準は同じに保つことができ、次式で表される。
Ｒａｎｋ＿ｓ＝ＲＳＲＱs＋Ｑhyst2s＋Ｑoffmbms                    式（１６）
しかし隣接セルに関しては、ランキング基準を次式のように変更する。
Ｒａｎｋ＿ｎ＝ＲＳＲＱn−Ｑhyst＋Ｑoffmbms                      式（１７）
Ｑhystの計算は上記に説明したものと同じになる。
【００４７】
あるいは、サービングセルに関して、ランキング基準を次式のように変更することができる。
Ｒａｎｋ＿ｓ＝ＲＳＲＱs＋Ｑhyst＋Ｑoffmbms                      式（１８）
隣接セルに関しては、セルのランキングを同じに保ち、次式で表される。
Ｒａｎｋ＿ｎ＝ＲＳＲＱn−Ｑoffset2＋Ｑoffmbms                  式（１９）
その場合、Ｑhystの計算は上記に説明したものと同じである。
【００４８】
測定パラメータがＲＳＲＰである場合、パラメータＱhystを有する同様の一組の式を適用することができる。
【００４９】
上記の式は、非階層的セル構造（ＨＣＳ：ｈｉｅｒａｒｃｈｉｃａｌ  ｃｅｌｌ  ｓｔｒｕｃｔｕｒｅ）用だが、ＨＣＳを使用する場合の式にもパラメータＱhystを適用することができる。
【００５０】
前の式では、Ｑoffmbmsを０に設定することにより（例えば、ＭＢＭＳサービスがない場合や、ＭＢＭＳの効果をセル再選択基準に関して考慮したくない場合に）、ＭＢＭＳの所望の効果を無効にできることに留意されたい。
【００５１】
あるいは、またはさらに、ある期間ＴCRmaxの間のセル再選択の回数が値ＮCRを超え、高移動性ファクタが検出される場合、現在のＵＭＴＳシステムにおいて見られるように単にＴreselにスケーリング係数を掛ける代わりに、サービングセルのランクを下げるためにＱhyst値にスケーリング係数を掛ける選択肢も持つことを提案することを開示する。このＱhyst値のスケーリング係数との乗算は、Ｔresel値にスケーリング係数を掛けることに加えて行うことができ、またはＱhyst値もしくはＴresel値のうち一方のみを、無線状態などの要素に応じてＷＴＲＵ自体が決定することができる、またはネットワークが信号で伝えることができるスケーリングに掛けることができ、その値はセルに依存しまたは他の任意の要素に基づくことができる。このＱhystについてのスケーリング係数は、Ｔreselについて使用するスケーリング係数と同じとすることができ、またはＱhyst値に掛けるための別のスケーリング係数を信号で伝えることができる。
【００５２】
Ｔresel時間間隔に関して、多重レベル再選択タイマは次式のように機能する。
ＲＳＲＱs＞ｘ
の場合、使用可能なＴresel（再選択タイマ）の値は、ＵＭＴＳシステムで現在使用されている再選択タイマの値と同じとすることができる（すなわちスケーリングは不要である）。
さもなければ、時間間隔Ｔ14にわたって
ｘ＞ＲＳＲＱs＞ｙ
の場合、Ｔreselは値ｚ３まで減らされる。
さもなければ、時間間隔Ｔ15にわたって
ＲＳＲＱs＜ｙ
の場合、Ｔresel＝０または極めて小さい値ｚ２であり、ただし、ｚ１＞ｚ３＞ｚ２、およびｘ＞ｙである。
【００５３】
値ｘ、ｙ、ｚ１、ｚ２、ｚ３、Ｔ14、およびＴ15は、実装に依存するか、ネットワークによって定義されるか、またはシミュレーションの結果後に標準で定義されてよい。時間間隔Ｔ14およびＴ15は、ＲＳＲＱに関する条件が満たされなければならない時間間隔である。これらの値は、ＲＲＣメッセージによって（例えば、１つまたは複数のＳＩＢ内で）動的に通信することができる。
【００５４】
概して、ＲＳＲＱsの関数（ｆｕｎｃｔｉｏｎ）になされ、適応される再選択タイマは次式の通りである。
Ｔresel＝ｆｕｎｃｔｉｏｎ（ＲＳＲＱs）
【００５５】
見てきたように、ＷＴＲＵのサービングセルの強度に応じて、隣接セルへのより迅速な再選択のためにＴreselタイマが低減される。
【００５６】
あるいは、２レベルの閾値があってもよく、この閾値では、値ｘを上回る場合、現在のＵＭＴＳシステムと同様のＴreselタイマ、または新しい再選択タイマｚ１を使用することができ、ＷＴＲＵの信号強度が時間間隔Ｔ16にわたって値ｘを下回る場合、短縮されたＴreselタイマを使用するか、または再選択タイマを一切使用しない。あるいは、ネットワークが新しい値ｘを信号で伝える代わりに、ＷＴＲＵは、Ｑqualminなど今日信号で伝えられるような現在の閾値の１つを値ｘについて使用することができ、そのような場合にはネットワークが任意の新しい閾値を信号で伝える必要はなくなる。また、時間間隔Ｔ16に関して、ＷＴＲＵはネットワークによって信号で伝えられる既存のタイマ値の１つを使用することができ、ことによると新しい時間間隔値Ｔ16がネットワークによって信号で伝えられる必要はないこともある。時間間隔Ｔ14、Ｔ15、およびＴ16は、時間間隔Ｔ11、Ｔ12、およびＴ13と同じでよく、または異なってもよい。
【００５７】
あるいは、様々な値を定義する代わりに、ネットワークは１つの値（例えばｚ１）と、ＷＴＲＵがｚ２およびｚ３を計算することを助けるその値に伴うスケーラビリティ値とを信号で伝えることもできる。
【００５８】
あるいは、２レベルまたは３レベルの代わりに、ｎ＞＝２であるｎレベルあってもよく、ただし、この場合も閾値は実装に依存するか、ネットワークによって定義されるか、またはシミュレーションの結果後に標準で定義されてよい。これらの閾値またはタイマの値は、ＲＲＣメッセージによって（例えば、１つまたは複数のＳＩＢ内で）動的に通信することができる。
【００５９】
より強固なセル再選択のために、ネットワークまたはＷＴＲＵのどちらも、適応的なランキング基準および再選択タイマの両方を使用するか、またはいずれか一方を単独で使用するかを決定することができる。
【００６０】
本明細書で開示する信号強度に基づく適応的再選択の概念に関して、Ｑhyst値のスケーリング係数との乗算は、Ｔresel値にスケーリング係数を掛けることに加えて行うことができ、またはＱhyst値もしくはＴresel値のうち一方のみを、無線状態などの要素に応じてＷＴＲＵ自体が決定することができる、またはネットワークが信号で伝えることができるスケーリング係数に掛けることができ、その値はセルに依存しまたは他の任意の要素に基づくことができる。このＱhystについてのスケーリング係数は、Ｔreselについて使用するスケーリング係数と同じとすることができ、またはＱhyst値に掛けるための別のスケーリング係数を信号で伝えることができる。さらに、上記に提案した適応的再選択方法のために信号で伝えられるスケーリング係数は、高移動性シナリオのために現在信号で伝えられているスケーリング係数と同じとすることができ、または信号強度に基づく適応的再選択専用に使用することになる別のスケーリング係数を信号で伝えることができる。
【００６１】
以下は、サービングセルがあまりに急速に低下することが原因で起こるハンドオーバの失敗を低減することについて説明し、この低減策では、ハンドオーバ手順中にサービングセルの品質を考慮に入れる。
【００６２】
図１では、閾値を下回っているサービングセル信号測定値に関する測定報告をトリガするためのタイムラインを示し、以下の事項を仮定する。
【００６３】
ある期間にわたるサービングセルの信号測定値（例えばＲＳＲＱ、ＲＳＣＰ、ＲＳＲＰ）。
【００６４】
ある期間にわたる隣接セルの信号測定値（例えばＲＳＲＱ、ＲＳＣＰ、ＲＳＲＰ）。
【００６５】
サービングセル閾値ｘ：下回った場合にサービングセルが測定報告をネットワークに送信する閾値。
【００６６】
報告範囲：上回った場合に隣接セルに対するＴＴＴ間隔を開始する値。
【００６７】
時点Ｔ１：隣接セルが報告範囲を上回ってＴＴＴ間隔を開始する時点。
【００６８】
時点Ｔ２：サービングセルの信号測定値がサービングセル閾値ｘを下回り、サービングセルの信号測定値が閾値を下回ったことを報告しかつＴＴＴ間隔がカウントダウンしている隣接セルに関する情報を与える測定報告をネットワークに送信する時点。
【００６９】
あるいは、値Ｔ２の代わりに、サービングセルの信号測定値がサービングセル閾値ｘを下回らなければならない可能性がある時間の長さとして、時間間隔Ｔ４（図１には不図示）を使用することもできる。したがって、サービングセルが時間間隔Ｔ４の持続時間にわたって特定の閾値である場合、ＷＴＲＵは測定報告を送信することができる。さらに、サービングセル閾値は、Ｑqualminなど、ＳＩＢ内で既に伝送された値の１つとすることができ、またはサービングセルの信号閾値は、ブロードキャストメッセージもしくは何らかの専用ＲＲＣ測定制御メッセージの一部分のいずれかによって別個に伝送することができる。
【００７０】
時点Ｔ３：ＴＴＴ間隔が満了し、前述のようにＷＴＲＵが測定報告をネットワークに報告することができる時点。
【００７１】
図１に見られるように、隣接セルの信号測定値が報告範囲を上回る場合、ＷＴＲＵはその隣接セルに対してＴＴＴ間隔を開始することができる。ＴＴＴ間隔を実行中に、サービングセルの信号測定値がサービングセル閾値ｘを下回る場合、ＷＴＲＵは、ＴＴＴ間隔が満了する前に、サービングセルの信号測定値が閾値ｘを下回ったことを報告する測定報告を送信することができる。測定報告はさらに、ＴＴＴ間隔がカウントダウンしている隣接セルを識別することになり、それにより、ハンドオーバを迅速化するために直ちにハンドオーバコマンドを生成するようにネットワークに要求する。
【００７２】
あるいは、ＴＴＴ間隔の開始後、サービングセルの信号測定値が落ち、時間間隔Ｔ４にわたってサービングセル閾値ｘ未満にとどまる場合、ＷＴＲＵは、サービングセルの信号測定値がサービングセル閾値ｘを下回ったことを示し、かつＴＴＴ間隔がカウントダウンしている隣接セルを識別し、それにより、ハンドオーバを迅速化するために直ちにハンドオーバコマンドを送信するようにネットワークに要求する測定報告を送信することができる。ハンドオーバコマンドが受信されない場合、かつ隣接セルがＴＴＴ間隔の全持続時間の間中報告範囲を上回ったままの状態でＴＴＴ間隔が満了する場合、測定報告が適切なイベントとともにトリガされる。例えば、その隣接セルがアクティブセットに追加され、ハンドオーバコマンドが受信される場合、ＷＴＲＵは自らのＴＴＴ間隔を停止し、ハンドオーバ手順を実行することができる。
【００７３】
あるいは、どの隣接セルも報告基準を満たさない場合、または隣接セルの信号測定値がＴＴＴ間隔の持続時間中に終了基準を下回り、サービングセルの信号測定値が閾値を下回る場合、ＷＴＲＵは依然として、サービングセルの信号測定値が閾値を下回ったことを報告する測定報告をネットワークに送信することができる。次いで、ネットワークは、この情報をブラインドハンドオーバ（ｂｌｉｎｄ  ｈａｎｄｏｖｅｒ）を行うために、またはＴＴＴ間隔を低減しかつ／または報告範囲を下げる信号をＷＴＲＵに送信するために、またはネットワークがそのＷＴＲＵ／シナリオに関して適切とみなす任意の方法で使用することができる。
【００７４】
サービングセル閾値は、ＳＩＢもしくは測定制御メッセージ内、または他の任意のメッセージ内でネットワークが送信することができ、またはＷＴＲＵが決定することができ、もしくはシミュレーションの結果に基づいて標準内で言及することができる。
【００７５】
ＴＴＴ間隔が満了する前にサービングセル閾値に基づいて適応的に測定報告を送信するこの原理は、同一周波数および／または異周波数および／またはＲＡＴ間のハンドオーバに適用することができる。
【００７６】
サービングセルの信号測定値があまりに急速に落ちている、またはＴＴＴ間隔が長すぎ、サービングセルの品質が劣化している場合に、上述の方法および機器を使用して呼を保護することができる。さらに、適応的なセル再選択およびハンドオーバ手順を使用することにより、ＷＴＲＵは、セル再選択およびハンドオーバ手順中にサービスを維持し、呼を持続させる可能性が高くなる。
【００７７】
図２は、セル再選択プロセス２００の流れ図である。このセル再選択プロセスは、ステップ２０５で開始する。ステップ２１０で、サービングセルの信号測定値および／またはセル再選択の回数がいくつであるかに関する決定を行う（ＷＴＲＵの移動性検出）。サービングセルの信号測定値および／またはセル再選択の回数が低度の場合、高移動性を示し、ステップ２１５で、Ｑhystおよび／またはＴreselを同じまたは異なるスケーリング係数でスケーリングする（すなわち、パラメータを低値にスケーリングする）。サービングセルの信号測定値および／またはセル再選択の回数が中程度の場合、平均的な移動性を示し、ステップ２２０で、Ｑhystおよび／またはＴreselを同じまたは異なるスケーリング係数でスケーリングする（すなわち、パラメータを中央値にスケーリングする）。サービングセルの信号測定値および／またはセル再選択の回数が高度の場合、低移動性を示し、ステップ２２５で、Ｑhystおよび／またはＴreselを同じまたは異なるスケーリング係数でスケーリングする（すなわち、パラメータを信号で伝えられた値にスケーリングするか、または変更しない）。ステップ２３０で、ＷＴＲＵの状態に応じた適当なＱhyst値およびＴresel値を使い、セル再選択の式を適用する。ステップ２３５で、再選択の式によって示される所望のセルに再選択することによりセル再選択プロセス２００が終了する。
【００７８】
図３は、ＴＴＴのスケーリングを使用するハンドオーバ手順３００の流れ図である。ステップ３０５で、隣接セルの信号測定値がサービングセルの信号閾値を上回る場合にＴＴＴ間隔を開始する。ステップ３１０で、サービングセルの信号測定（ＷＴＲＵ速度検出）を行う。ステップ３１５で、サービングセルの信号測定値がサービングセルの信号閾値を下回る場合、または所定の期間にわたってサービングセルの信号閾値未満にとどまる場合、ＴＴＴ間隔を低減／スケーリングする（ステップ３２０）。他の場合、信号で伝えられたＴＴＴ間隔の値を維持する（ステップ３２５）。ステップ３３０で、ハンドオーバコマンドを生成するためにＴＴＴ間隔の満了時に測定報告を送信する。
【００７９】
図４は、本明細書に開示する方法を実施するために使用するＷＴＲＵ４００の構成の一例を示す。ＷＴＲＵ４００は、送信機４０５、受信機４１０、アンテナ４１５、プロセッサ４２０、再選択タイマ４２５、およびＴＴＴタイマ４３０を含む。
【００８０】
受信機４１０は、サービングセルの信号測定（例えばＲＳＲＱ、ＲＳＣＰ、ＲＳＲＰ）を行うように構成される。プロセッサ４２０は、サービングセルの信号測定値が第１の閾値を上回る場合、そのサービングセルのヒステリシス値を第１の値に設定し、サービングセルの信号測定値が第１の時間間隔にわたって第１の閾値を下回り、かつ第２の閾値を上回る場合、そのサービングセルのヒステリシス値を第２の値に設定し、サービングセルの信号測定値が第２の時間間隔にわたって第２の閾値を下回る場合、そのサービングセルのヒステリシス値を第３の値に設定し、サービングセルのランキング基準を、第１の値、第２の値、および第３の値のうちの１つに設定した後のサービングセルのヒステリシス値に基づいて調整するように構成される。
【００８１】
受信機４１０は、サービングセルの信号測定（例えばＲＳＲＱ、ＲＳＣＰ、ＲＳＲＰ）を行うようにさらに構成される。プロセッサ４２０は、サービングセルの信号測定値が第１の閾値を上回る場合、隣接セルのオフセット値を第１の値に設定し、サービングセルの信号測定値が第１の時間間隔にわたって第１の閾値を下回り、かつ第２の閾値を上回る場合、その隣接セルのオフセット値を第２の値に設定し、サービングセルの信号測定値が第２の時間間隔にわたって第２の閾値を下回る場合、その隣接セルのオフセット値を第３の値に設定し、隣接セルのランキング基準を、第１の値、第２の値、および第３の値のうちの１つに設定した後の隣接セルのオフセット値に基づいて調整するように構成される。
【００８２】
プロセッサ４２０は、サービングセルの信号測定値が第１の閾値を上回る場合、再選択タイマ４２５を第１の値に設定し、サービングセルの信号測定値が第１の時間間隔にわたって第１の閾値を下回り、かつ第２の閾値を上回る場合、再選択タイマ４２５を第２の値に設定し、サービングセルの信号測定値が第２の時間間隔にわたって第２の閾値を下回る場合、再選択タイマ４２５を第３の値に設定するようにさらに構成される。
【００８３】
受信機４１０は、サービングセルの信号測定および隣接セルの信号測定を行うようにさらに構成される。プロセッサ４２０は、隣接セルの信号測定値が報告範囲閾値を上回る場合に、ＴＴＴタイマ４３０が定めるＴＴＴ間隔を開始し、このＴＴＴ間隔を調整するようにさらに構成される。送信機４０５は、サービングセルの信号測定値がサービングセル閾値を下回る場合、ＴＴＴ間隔が満了する前に測定報告を伝送するように構成され、この測定報告は、サービングセルの信号測定値がサービングセル閾値を下回ったことを示し、かつハンドオーバコマンドを生成するために使用される隣接セルに関する情報を提供するものである。送信機４０５は、サービングセルの信号測定値がサービングセル閾値を下回り、所定の時間間隔の間その閾値未満にとどまる場合、ＴＴＴ間隔の間に測定報告を伝送するようにさらに構成される。
【００８４】
図５は、ＷＴＲＵに関連するサービングセルのランキング基準を調整する無線通信方法５００の流れ図である。ステップ５０５で、サービングセルの信号測定（例えばＲＳＲＱ、ＲＳＣＰ、ＲＳＲＰ）を行う。ステップ５１０で、サービングセルの信号測定値が第１の閾値を上回る場合、そのサービングセルのヒステリシス値を第１の値に設定する。ステップ５１５で、サービングセルの信号測定値が第１の時間間隔にわたって第１の閾値を下回り、かつ第２の閾値を上回る場合、そのサービングセルのヒステリシス値を第２の値に設定する。ステップ５２０で、サービングセルの信号測定値が第２の時間間隔にわたって第２の閾値を下回る場合、そのサービングセルのヒステリシス値を第３の値に設定する。ステップ５２５で、サービングセルのランキング基準を、第１の値、第２の値、および第３の値のうちの１つに設定した後のサービングセルのヒステリシス値に基づいて調整する。
【００８５】
図６は、ＷＴＲＵに関連する隣接セルのランキング基準を調整する無線通信方法６００の流れ図である。ステップ６０５で、サービングセルの信号測定（例えばＲＳＲＱ、ＲＳＣＰ、ＲＳＲＰ）を行う。ステップ６１０で、サービングセルの信号測定値が第１の閾値を上回る場合、隣接セルのオフセット値を第１の値に設定する。ステップ６１５で、サービングセルの信号測定値が第１の時間間隔にわたって第１の閾値を下回り、かつ第２の閾値を上回る場合、その隣接セルのオフセット値を第２の値に設定する。ステップ６２０で、サービングセルの信号測定値が第２の時間間隔にわたって第２の閾値を下回る場合、その隣接セルのオフセット値を第３の値に設定する。ステップ６２５で、隣接セルのランキング基準を、第１の値、第２の値、および第３の値のうちの１つに設定した後の隣接セルのオフセット値に基づいて調整する。
【００８６】
図７は、ＷＴＲＵに関連するサービングセルのランキング基準を調整する無線通信方法７００の流れ図である。ステップ７０５で、ＷＴＲＵ内の再選択タイマを第１の値に設定する。ステップ７１０で、ヒステリシス値を第２の値に設定する。ステップ７１５で、所定の期間中に生じるそのＷＴＲＵに関連するセル再選択の回数を監視する。ステップ７２０で、そのＷＴＲＵに関連する移動性ファクタを監視する。ステップ７２５で、セル再選択の回数が第３の値を超え、高移動性ファクタが検出される場合に、サービングセルのランキングを下げるために、第１の値を第１のスケーリング係数で掛けることによって再選択タイマの第１の調整を行うべきか、ヒステリシス値の第２の値を第２のスケーリング係数で掛けることによってサービングセルのランキング基準の第２の調整を行うべきか、または第１の調整および第２の調整の両方を行うべきかに関する決定を行う。
【００８７】
図８は、ＷＴＲＵ内の再選択タイマを調整する無線通信方法８００の流れ図である。ステップ８０５で、ＷＴＲＵがサービングセルの信号測定（例えばＲＳＲＱ、ＲＳＣＰ、ＲＳＲＰ）を行う。ステップ８１０で、サービングセルの信号測定値が第１の閾値を上回る場合、ＷＴＲＵ内の再選択タイマを第１の値に設定する。ステップ８１５で、サービングセルの信号測定値が第１の時間間隔にわたって第１の閾値を下回り、かつ第２の閾値を上回る場合、再選択タイマを第２の値に設定する。ステップ８２０で、サービングセルの信号測定値が第２の時間間隔にわたって第２の閾値を下回る場合、再選択タイマを第３の値に設定する。
【００８８】
図９は、ＷＴＲＵが行うセルの信号測定報告方法９００の流れ図である。ステップ９０５で、サービングセルの信号測定を行う。ステップ９１０で、隣接セルの信号測定を行う。ステップ９１５で、隣接セルの信号測定値が報告範囲閾値を上回る場合に、ＴＴＴ間隔を開始する。ステップ９２０で、サービングセルの信号測定値がサービングセル閾値を下回る場合、ＴＴＴ間隔を調整し、そのＴＴＴ間隔が満了する前に、サービングセルの信号測定値がサービングセル閾値を下回ったことを報告し、かつハンドオーバコマンドを生成するために使用される隣接セルに関する情報を提供する測定報告を伝送する。
【００８９】
図１０は、ＷＴＲＵが行うセルの信号測定報告方法１０００の流れ図である。ステップ１００５で、サービングセルの信号測定を行う。ステップ１０１０で、隣接セルの信号測定を行う。ステップ１０１５で、隣接セルの信号測定値が報告範囲閾値を上回る場合に、ＴＴＴ間隔を開始する。ステップ１０２０で、サービングセルの信号測定値がサービングセル閾値を下回り、所定の時間間隔の間その閾値未満にとどまる場合、ＴＴＴ間隔を調整し、そのＴＴＴ間隔の間に、サービングセルの信号測定値がサービングセル閾値を下回ったことを報告し、かつハンドオーバコマンドを生成するために使用される隣接セルに関する情報を提供する測定報告を伝送する。
【００９０】
実施形態
１．無線送受信ユニット（ＷＴＲＵ）に関連するサービングセルのランキング基準を調整する無線通信方法であって、
サービングセルの信号測定を行うステップと、
前述のサービングセルの信号測定値が第１の閾値を上回る場合にサービングセルのヒステリシス値を第１の値に設定するステップと、
前述のサービングセルの前述の信号測定値が第１の時間間隔にわたって前述の第１の閾値を下回り、かつ第２の閾値を上回る場合に前述のサービングセルのヒステリシス値を第２の値に設定するステップと、
前述のサービングセルの前述の信号測定値が第２の時間間隔にわたって前述の第２の閾値を下回る場合に前述のサービングセルのヒステリシス値を第３の値に設定するステップと、
前述のサービングセルのランキング基準を、前述の第１の値、前述の第２の値、および前述の第３の値のうちの１つに設定した後の前述のサービングセルのヒステリシス値に基づいて調整するステップと
を具えた方法。
２．前述のサービングセルの信号測定値は基準シンボル受信品質（ＲＳＲＱ）であり、前述の第１の閾値および第２の閾値はＲＳＲＱ閾値である実施形態１記載の方法。
３．前述のサービングセルの信号測定値はＲＳＣＰ（受信信号コード電力）であり、前述の第１の閾値および第２の閾値はＲＳＣＰ閾値である実施形態１記載の方法。
４．前述のサービングセルの信号測定値はＲＳＲＰ（基準信号受信電力）であり、前述の第１の閾値および第２の閾値はＲＳＲＰ閾値である実施形態１記載の方法。
５．前述のサービングセルの信号測定値は、前述のＷＴＲＵに関連する様々な速度のレベルを計算するために使用される実施形態１〜４のいずれか１つに記載の方法。
６．前述の第１の値は前述の第２の値よりも大きく、前述の第２の値は前述の第３の値よりも大きく、かつ前述の第１の閾値は前述の第２の閾値よりも大きい実施形態１〜５のいずれか１つに記載の方法。
７．前述の第１の値、第２の値、および第３の値は、ネットワークによって信号で伝えられる実施形態１〜６のいずれか１つに記載の方法。
８．前述の第１の値と少なくとも１つのスケーリング係数とがネットワークによって信号で伝えられ、前述の第２の値および第３の値は、前述の少なくとも１つのスケーリング係数を使用して前述の第１の値から導き出される実施形態１〜７のいずれか１つに記載の方法。
９．前述の信号測定値が前述の第１の閾値および第２の閾値とどのように対比するのかに基づいて、前述のＷＴＲＵ内に位置する再選択タイマの時間値を調整するステップ
をさらに具えた実施形態１〜８のいずれか１つに記載の方法。
１０．前述の第１の閾値および前述の第２の閾値のうちの少なくとも１つを示す無線資源制御（ＲＲＣ）メッセージを受信するステップ
をさらに具えた実施形態１〜９のいずれか１つに記載の方法。
１１．前述の第１の値、前述の第２の値、および前述の第３の値のうちの少なくとも１つを示す無線資源制御（ＲＲＣ）メッセージを受信するステップ
をさらに具えた実施形態１〜１０のいずれか１つに記載の方法。
１２．無線送受信ユニット（ＷＴＲＵ）に関連する隣接セルのランキング基準を調整する無線通信方法であって、
サービングセルの信号測定を行うステップと、
前述のサービングセルの信号測定値が第１の閾値を上回る場合に隣接セルのオフセット値を第１の値に設定するステップと、
前述のサービングセルの前述の信号測定値が第１の時間間隔にわたって前述の第１の閾値を下回り、かつ第２の閾値を上回る場合に前述の隣接セルのオフセット値を第２の値に設定するステップと、
前述のサービングセルの前述の信号測定値が第２の時間間隔にわたって前述の第２の閾値を下回る場合に前述の隣接セルのオフセット値を第３の値に設定するステップと、
前述の隣接セルのランキング基準を、前述の第１の値、前述の第２の値、および前述の第３の値のうちの１つに設定した後の前述の隣接セルのオフセット値に基づいて調整するステップと
を具えた方法。
１３．前述のサービングセルの信号測定値は基準シンボル受信品質（ＲＳＲＱ）であり、前述の第１の閾値および第２の閾値はＲＳＲＱ閾値である実施形態１２記載の方法。
１４．前述のサービングセルの信号測定値は受信信号コード電力（ＲＳＣＰ）であり、前述の第１の閾値および第２の閾値はＲＳＣＰ閾値である実施形態１２記載の方法。
１５．前述のサービングセルの信号測定値は基準信号受信電力（ＲＳＲＰ）であり、前述の第１の閾値および第２の閾値はＲＳＲＰ閾値である実施形態１２記載の方法。
１６．前述のサービングセルの信号測定値は、前述のＷＴＲＵに関連する様々な速度のレベルを計算するために使用される実施形態１２〜１５のいずれか１つに記載の方法。
１７．前述の第１の値は前述の第２の値よりも大きく、前述の第２の値は前述の第３の値よりも大きく、かつ前述の第１の閾値は前述の第２の閾値よりも大きい実施形態１２〜１６のいずれか１つに記載の方法。
１８．前述の第１の値、第２の値、および第３の値は、ネットワークによって信号で伝えられる実施形態１２〜１７のいずれか１つに記載の方法。
１９．前述の第１の値と少なくとも１つのスケーリング係数とがネットワークによって信号で伝えられ、前述の第２の値および第３の値は、前述の少なくとも１つのスケーリング係数を使用して前述の第１の値から導き出される実施形態１２〜１８のいずれか１つに記載の方法。
２０．前述の信号測定値が前述の第１の閾値および第２の閾値とどのように対比するのかに基づいて、前述のＷＴＲＵ内に位置する再選択タイマの時間値を調整するステップ
をさらに含む実施形態１２〜１９のいずれか１つに記載の方法。
２１．前述の第１の閾値および前述の第２の閾値のうちの少なくとも１つを示す無線資源制御（ＲＲＣ）メッセージを受信するステップ
をさらに具えた実施形態１２〜２０のいずれか１つに記載の方法。
２２．前述の第１の値、前述の第２の値、および前述の第３の値のうちの少なくとも１つを示すＲＲＣ（無線資源制御）メッセージを受信するステップ
をさらに具えた実施形態１２〜２１のいずれか１つに記載の方法。
２３．サービングセルの信号測定を行うように構成される受信機と、
前述のサービングセルの信号測定値が第１の閾値を上回る場合にサービングセルのヒステリシス値を第１の値に設定し、前述のサービングセルの前述の信号測定値が第１の時間間隔にわたって前述の第１の閾値を下回り、かつ第２の閾値を上回る場合に前述のサービングセルのヒステリシス値を第２の値に設定し、前述のサービングセルの前述の信号測定値が第２の時間間隔にわたって前述の第２の閾値を下回る場合に前述のサービングセルのヒステリシス値を第３の値に設定し、前述のサービングセルのランキング基準を、前述の第１の値、前述の第２の値、および前述の第３の値のうちの１つに設定した後の前述のサービングセルのヒステリシス値に基づいて調整するように構成されるプロセッサと
を具えた無線送受信ユニット（ＷＴＲＵ）。
２４．前述のサービングセルの信号測定値は基準シンボル受信品質（ＲＳＲＱ）であり、前述の第１の閾値および第２の閾値はＲＳＲＱ閾値である実施形態２３に記載のＷＴＲＵ。
２５．前述のサービングセルの信号測定値は受信信号コード電力（ＲＳＣＰ）であり、前述の第１の閾値および第２の閾値はＲＳＣＰ閾値である実施形態２３に記載のＷＴＲＵ。
２６．前述のサービングセルの信号測定値は基準信号受信電力（ＲＳＲＰ）であり、前述の第１の閾値および第２の閾値はＲＳＲＰ閾値である実施形態２３に記載のＷＴＲＵ。
２７．前述のサービングセルの信号測定値は、前述のＷＴＲＵに関連する様々な速度のレベルを計算するために使用される実施形態２３〜２６のいずれか１つに記載のＷＴＲＵ。
２８．前述の第１の値は前述の第２の値よりも大きく、前述の第２の値は前述の第３の値よりも大きく、かつ前述の第１の閾値は前述の第２の閾値よりも大きい実施形態２３〜２７のいずれか１つに記載のＷＴＲＵ。
２９．前述の第１の値、第２の値、および第３の値は、ネットワークによって信号で伝えられる実施形態２３〜２８のいずれか１つに記載のＷＴＲＵ。
３０．前述の第１の値と少なくとも１つのスケーリング係数とがネットワークによって信号で伝えられ、前述の第２の値および第３の値は、前述の少なくとも１つのスケーリング係数を使用して前述の第１の値から導き出される実施形態２３〜２９のいずれか１つに記載のＷＴＲＵ。
３１．再選択タイマをさらに備え、前述の再選択タイマの時間値は、前述の信号測定値が前述の第１の閾値および第２の閾値とどのように対比するのかに基づいて調整される
実施形態２３〜３０のいずれか１つに記載のＷＴＲＵ。
３２．前述の受信機は、前述の第１の閾値および前述の第２の閾値のうちの少なくとも１つを示す無線資源制御（ＲＲＣ）メッセージを受信するようにさらに構成される実施形態２３〜３１のいずれか１つに記載のＷＴＲＵ。
３３．前述の受信機は、前述の第１の値、前述の第２の値、および前述の第３の値のうちの少なくとも１つを示す無線資源制御（ＲＲＣ）メッセージを受信するようにさらに構成される実施形態２３〜３２のいずれか１つに記載のＷＴＲＵ。
３４．サービングセルの信号測定を行うように構成される受信機と、
前述のサービングセルの信号測定値が第１の閾値を上回る場合に隣接セルのオフセット値を第１の値に設定し、前述のサービングセルの前述の信号測定値が第１の時間間隔にわたって前述の第１の閾値を下回り、かつ第２の閾値を上回る場合に前述の隣接セルのオフセット値を第２の値に設定し、前述のサービングセルの前述の信号測定値が第２の時間間隔にわたって前述の第２の閾値を下回る場合に前述の隣接セルのオフセット値を第３の値に設定し、前述の隣接セルのランキング基準を、前述の第１の値、前述の第２の値、および前述の第３の値のうちの１つに設定した後の前述の隣接セルのオフセット値に基づいて調整するように構成されるプロセッサと
を具えた無線送受信ユニット（ＷＴＲＵ）。
３５．前述のサービングセルの信号測定値は基準シンボル受信品質（ＲＳＲＱ）であり、前述の第１の閾値および第２の閾値はＲＳＲＱ閾値である実施形態３４記載のＷＴＲＵ。
３６．前述のサービングセルの信号測定値は受信信号コード電力（ＲＳＣＰ）であり、前述の第１の閾値および第２の閾値はＲＳＣＰ閾値である実施形態３４記載のＷＴＲＵ。
３７．前述のサービングセルの信号測定値は基準信号受信電力（ＲＳＲＰ）であり、前述の第１の閾値および第２の閾値はＲＳＲＰ閾値である実施形態３４に記載のＷＴＲＵ。
３８．前述のサービングセルの信号測定値は、前述のＷＴＲＵに関連する様々な速度のレベルを計算するために使用される実施形態３４〜３７のいずれか１つに記載のＷＴＲＵ。
３９．前述の第１の値は前述の第２の値よりも大きく、前述の第２の値は前述の第３の値よりも大きく、かつ前述の第１の閾値は前述の第２の閾値よりも大きい実施形態３４〜３８のいずれか１つに記載のＷＴＲＵ。
４０．前述の第１の値、第２の値、および第３の値は、ネットワークによって信号で伝えられる実施形態３４〜３９のいずれか１つに記載のＷＴＲＵ。
４１．前述の第１の値と少なくとも１つのスケーリング係数とがネットワークによって信号で伝えられ、前述の第２の値および第３の値は、前述の少なくとも１つのスケーリング係数を使用して前述の第１の値から導き出される実施形態３４〜４０のいずれか１つに記載のＷＴＲＵ。
４２．再選択タイマをさらに備え、前述の再選択タイマの時間値は、前述の信号測定値が前述の第１の閾値および第２の閾値とどのように対比するのかに基づいて調整される
実施形態３４〜４１のいずれか１つに記載のＷＴＲＵ。
４３．前述の受信機は、前述の第１の閾値および前述の第２の閾値のうちの少なくとも１つを示す無線資源制御（ＲＲＣ）メッセージを受信するようにさらに構成される実施形態３４〜４２のいずれか１つに記載のＷＴＲＵ。
４４．前述の受信機は、前述の第１の値、前述の第２の値、および前述の第３の値のうちの少なくとも１つを示す無線資源制御（ＲＲＣ）メッセージを受信するようにさらに構成される実施形態３４〜４３のいずれか１つに記載のＷＴＲＵ。
４５．再選択タイマと、
サービングセルの信号測定を行うように構成される受信機と、
前述のサービングセルの信号測定値が第１の閾値を上回る場合に前述の再選択タイマを第１の値に設定し、前述のサービングセルの前述の信号測定値が第１の時間間隔にわたって前述の第１の閾値を下回り、かつ第２の閾値を上回る場合に前述の再選択タイマを第２の値に設定し、前述のサービングセルの前述の信号測定値が第２の時間間隔にわたって前述の第２の閾値を下回る場合に前述の再選択タイマを第３の値に設定するように構成されるプロセッサと
を具えた無線送受信ユニット（ＷＴＲＵ）。
４６．前述のサービングセルの信号測定値は基準シンボル受信品質（ＲＳＲＱ）であり、前述の第１の閾値および第２の閾値はＲＳＲＱ閾値である実施形態４５記載のＷＴＲＵ。
４７．前述のサービングセルの信号測定値は受信信号コード電力（ＲＳＣＰ）であり、前述の第１の閾値および第２の閾値はＲＳＣＰ閾値である実施形態４５記載のＷＴＲＵ。
４８．前述のサービングセルの信号測定値は基準信号受信電力（ＲＳＲＰ）であり、前述の第１の閾値および第２の閾値はＲＳＲＰ閾値である実施形態４５記載のＷＴＲＵ。
４９．前述のサービングセルの信号測定値は、前述のＷＴＲＵに関連する様々な速度のレベルを計算するために使用される実施形態４５〜４８のいずれか１つに記載のＷＴＲＵ。
５０．前述の第１の値は前述の第２の値よりも大きく、前述の第２の値は前述の第３の値よりも大きく、かつ前述の第１の閾値は前述の第２の閾値よりも大きい実施形態４５〜４９のいずれか１つに記載のＷＴＲＵ。
５１．前述の第１の値、第２の値、および第３の値は、ネットワークによって信号で伝えられる実施形態４５〜５０のいずれか１つに記載のＷＴＲＵ。
５２．前述の第１の値と少なくとも１つのスケーリング係数とがネットワークによって信号で伝えられ、前述の第２の値および第３の値は、前述の少なくとも１つのスケーリング係数を使用して前述の第１の値から導き出される実施形態４５〜５１のいずれか１つに記載のＷＴＲＵ。
５３．前述の受信機は、前述の第１の閾値および前述の第２の閾値のうちの少なくとも１つを示す無線資源制御（ＲＲＣ）メッセージを受信するようにさらに構成される実施形態４５〜５２のいずれか１つに記載のＷＴＲＵ。
５４．前述の受信機は、前述の第１の値、前述の第２の値、および前述の第３の値のうちの少なくとも１つを示す無線資源制御（ＲＲＣ）メッセージを受信するようにさらに構成される実施形態４５〜５３のいずれか１つに記載のＷＴＲＵ。
５５．ＷＴＲＵ（無線送受信ユニット）に関連するサービングセルのランキング基準を調整する無線通信方法であって、
前述のＷＴＲＵ内の再選択タイマを第１の値に設定するステップと、
ヒステリシス値を第２の値に設定するステップと、
所定の期間中に生じる前述のＷＴＲＵに関連するセル再選択の回数を監視するステップと、
前述のＷＴＲＵに関連する移動性ファクタを監視するステップと、
前述のセル再選択の回数が第３の値を超え、高移動性ファクタが検出される場合に、前述のサービングセルのランキングを下げるために、前述の第１の値を第１のスケーリング係数で掛けることによって前述の再選択タイマの第１の調整を行うか、前述のヒステリシス値の前述の第２の値を第２のスケーリング係数で掛けることによって第２の調整を行うか、または前述の第１の調整および前述の第２の調整の両方を行うかを決定するステップと
を具えた方法。
５６．前述の第１の調整および前述の第２の調整の両方を行うかどうかに関する前述の決定は、無線状態に基づく実施形態５５記載の方法。
５７．前述の第１のスケーリング係数は、前述の第２のスケーリング係数と同じである実施形態５５および５６のいずれか１つに記載の方法。
５８．前述の第１のスケーリング係数は、前述の第２のスケーリング係数とは異なる実施形態５５および５６のいずれか１つに記載の方法。
５９．前述の第１の値は、隣接セルが前述のＷＴＲＵに関するセル再選択基準を満たすことが期待される時間を示す実施形態５５〜５８のいずれか１つに記載の方法。
６０．前述の第１のスケーリング係数および前述の第２のスケーリング係数のうちの少なくとも１つを示すＲＲＣ（無線資源制御）メッセージを受信するステップ
をさらに具えた実施形態５５〜５９のいずれか１つに記載の方法。
６１．ＷＴＲＵに関連する移動性ファクタを監視するように構成される受信機と、
再選択タイマと、
所定の期間中に生じる前述のＷＴＲＵに関連するセル再選択の回数を監視し、前述の再選択タイマを第１の値に設定し、ヒステリシス値を第２の値に設定し、前述のセル再選択の回数が第３の値を超え、高移動性ファクタが検出される場合に、サービングセルのランキングを下げるために、前述の第１の値を第１のスケーリング係数で掛けることによって前述の再選択タイマの第１の調整を行うか、前述のヒステリシス値の前述の第２の値を第２のスケーリング係数で掛けることによって第２の調整を行うか、または前述の第１の調整および前述の第２の調整の両方を行うかを決定するように構成されるプロセッサと
を具えた無線送受信ユニット（ＷＴＲＵ）。
６２．前述の第１の調整および前述の第２の調整の両方を行うかどうかに関する決定は、無線状態に基づく実施形態６１記載のＷＴＲＵ。
６３．前述の第１のスケーリング係数は、前述の第２のスケーリング係数と同じである実施形態６１および６２のいずれか１つに記載のＷＴＲＵ。
６４．前述の第１のスケーリング係数は、前述の第２のスケーリング係数とは異なる実施形態６１および６２のいずれか１つに記載のＷＴＲＵ。
６５．前述の第１の値は、隣接セルが前述のＷＴＲＵに関するセル再選択基準を満たすことが期待される時間を示す実施形態６１〜６４のいずれか１つに記載のＷＴＲＵ。
６６．前述の受信機は、前述の第１のスケーリング係数および前述の第２のスケーリング係数のうちの少なくとも１つを示す無線資源制御（ＲＲＣ）メッセージを受信するようにさらに構成される実施形態６１〜６５のいずれか１つに記載のＷＴＲＵ。
６７．無線送受信ユニット（ＷＴＲＵ）が行うセルの信号測定報告方法であって、
サービングセルの信号測定を行うステップと、
隣接セルの信号測定を行うステップと、
前述の隣接セルの信号測定値が報告範囲閾値を上回る場合に、トリガまでの時間（ＴＴＴ）時間間隔を開始するステップと、
前述のサービングセルの信号測定値がサービングセル閾値を下回る場合、前述のＴＴＴ間隔を調整し、前述のＴＴＴ間隔が満了する前に、前述のサービングセルの信号測定値が前述のサービングセル閾値を下回ったことを報告し、かつハンドオーバコマンドを生成するために使用される前述の隣接セルに関する情報を提供する測定報告を伝送するステップと
を具えた方法。
６８．前述のサービングセルの信号測定値は、前述のＷＴＲＵに関連する様々な速度のレベルを計算するために使用される実施形態６７記載の方法。
６９．前述のハンドオーバコマンドは、同一周波数ハンドオーバ、異周波数ハンドオーバ、および無線アクセス技術間（ＲＡＴ間）ハンドオーバのうちの少なくとも１つに関連する実施形態６７および６８のいずれか１つに記載の方法。
７０．無線送受信ユニット（ＷＴＲＵ）が行うセルの信号測定報告方法であって、
サービングセルの信号測定を行うステップと、
隣接セルの信号測定を行うステップと、
前述の隣接セルの信号測定値が報告範囲閾値を上回る場合に、トリガまでの時間（ＴＴＴ）時間間隔を開始するステップと、
前述のサービングセルの信号測定値がサービングセル閾値を下回り、所定の時間間隔の間前述の閾値未満にとどまる場合、前述のＴＴＴ間隔を調整し、前述のＴＴＴ間隔の間に、前述のサービングセルの信号測定値が前述のサービングセル閾値を下回ったことを報告し、かつハンドオーバコマンドを生成するために使用される前述の隣接セルに関する情報を提供する測定報告を伝送するステップと
を具えた方法。
７１．前述のサービングセルの信号測定値は、前述のＷＴＲＵに関連する様々な速度のレベルを計算するために使用される実施形態７０記載の方法。
７２．前述のハンドオーバコマンドは、同一周波数ハンドオーバ、異周波数ハンドオーバ、および無線アクセス技術間（ＲＡＴ間）ハンドオーバのうちの少なくとも１つに関連する実施形態７０および７１のいずれか１つに記載の方法。
７３．サービングセルの信号測定および隣接セルの信号測定を行うように構成される受信機と、
トリガまでの時間（ＴＴＴ）時間タイマと、
前述の隣接セルの信号測定値が報告範囲閾値を上回る場合に、前述のＴＴＴタイマが定めるＴＴＴ間隔を開始し、前述のＴＴＴ間隔を調整するように構成されるプロセッサと、
前述のサービングセルの信号測定値がサービングセル閾値を下回る場合、前述のＴＴＴ間隔が満了する前に測定報告を伝送するように構成される送信機であって、前述の測定報告は、前述のサービングセルの信号測定値が前述のサービングセル閾値を下回ったことを示し、かつハンドオーバコマンドを生成するために使用される前述の隣接セルに関する情報を提供するものである、送信機と
を具えた無線送受信ユニット（ＷＴＲＵ）。
７４．前述のサービングセルの信号測定値は、前述のＷＴＲＵに関連する様々な速度のレベルを計算するために使用される実施形態７３記載のＷＴＲＵ。
７５．前述のハンドオーバコマンドは、同一周波数ハンドオーバ、異周波数ハンドオーバ、および無線アクセス技術間（ＲＡＴ間）ハンドオーバのうちの少なくとも１つに関連する実施形態７３および７４のいずれか１つに記載の方法。
７６．サービングセルの信号測定および隣接セルの信号測定を行うように構成される受信機と、
トリガまでの時間（ＴＴＴ）時間タイマと、
前述の隣接セルの信号測定値が報告範囲閾値を上回る場合に、前述のＴＴＴタイマが定めるＴＴＴ間隔を開始し、前述のＴＴＴ間隔を調整するように構成されるプロセッサと、
前述のサービングセルの信号測定値がサービングセル閾値を下回り、所定の時間間隔の間前述の閾値未満にとどまる場合、前述のＴＴＴ間隔の間に測定報告を伝送するように構成される送信機であって、前述の測定報告は、前述のサービングセルの信号測定値が前述のサービングセル閾値を下回ったことを示し、かつハンドオーバコマンドを生成するために使用される前述の隣接セルに関する情報を提供するものである、送信機と
を具えた無線送受信ユニット（ＷＴＲＵ）。
７７．前述のサービングセルの信号測定値は、前述のＷＴＲＵに関連する様々な速度のレベルを計算するために使用される実施形態７６記載のＷＴＲＵ。
７８．前述のハンドオーバコマンドは、同一周波数ハンドオーバ、異周波数ハンドオーバ、および無線アクセス技術間（ＲＡＴ間）ハンドオーバのうちの少なくとも１つに関連する実施形態７６および７７のいずれか１つに記載の方法。
７９．ＷＴＲＵ（無線送受信ユニット）に関連するサービングセルのランキング基準を調整する無線通信方法であって、
複数の閾値を定めるステップと、
サービングセルの信号測定を行うステップと、
前述のサービングセルの信号測定値が前述の複数の閾値とどのように対比するのかに依拠する特定の値にヒステリシス値を設定するステップと、
前述のサービングセルのランキング基準を、前述の特定の値に設定した後の前述のヒステリシス値に基づいて調整するステップと
を具えた方法。
８０．前述のサービングセルの信号測定値は基準シンボル受信品質（ＲＳＲＱ）である実施形態７９記載の方法。
８１．前述のサービングセルの信号測定値は受信信号コード電力（ＲＳＣＰ）である実施形態７９記載の方法。
８２．前述のサービングセルの信号測定値は基準信号受信電力（ＲＳＲＰ）である実施形態７９記載の方法。
８３．前述のサービングセルの信号測定値は、前述のＷＴＲＵに関連する様々な速度のレベルを計算するために使用される実施形態７９〜８２のいずれか１つに記載の方法。
８４．無線送受信ユニット（ＷＴＲＵ）内の再選択タイマを調整する無線通信方法であって、
複数の閾値を定めるステップと、
サービングセルの信号測定を行うステップと、
前述のサービングセルの信号測定値が前述の複数の閾値とどのように対比するのかに基づいて前述の再選択タイマを調整するステップと
を含む方法。
８５．前述のサービングセルの信号測定値は基準シンボル受信品質（ＲＳＲＱ）である実施形態８４に記載の方法。
８６．前述のサービングセルの信号測定値は受信信号コード電力（ＲＳＣＰ）である実施形態８４に記載の方法。
８７．前述のサービングセルの信号測定値は基準信号受信電力（ＲＳＲＰ）である実施形態８４に記載の方法。
８８．前述のサービングセルの信号測定値は、前述のＷＴＲＵに関連する様々な速度のレベルを計算するために使用される実施形態８４〜８７のいずれか１つに記載の方法。
８９．無線送受信ユニット（ＷＴＲＵ）に関連する隣接セルのランキング基準を調整する無線通信方法であって、
複数の閾値を定めるステップと、
サービングセルの信号測定を行うステップと、
前述のサービングセルの信号測定値が前述の複数の閾値とどのように対比するのかに依拠する特定の値に隣接セルのオフセット値を設定するステップと、
前述の隣接セルのランキング基準を、前述の特定の値に設定した後の前述の隣接セルのオフセット値に基づいて調整するステップと
を含む方法。
９０．前述のサービングセルの信号測定値は基準シンボル受信品質(ＲＳＲＱ）である実施形態８９に記載の方法。
９１．前述のサービングセルの信号測定値は受信信号コード電力（ＲＳＣＰ）である実施形態８９に記載の方法。
９２．前述のサービングセルの信号測定値は基準信号受信電力(ＲＳＲＰ）である実施形態８９に記載の方法。
９３．前述のサービングセルの信号測定値は、前述のＷＴＲＵに関連する様々な速度のレベルを計算するために使用される実施形態８９〜９２のいずれか１つに記載の方法。
９４．無線送受信ユニット（ＷＴＲＵ）内の再選択タイマを調整する無線通信方法であって、
複数の閾値を定めるステップと、
サービングセルの信号測定を行うステップと、
前述のサービングセルの信号測定値が前述の複数の閾値とどのように対比するのかに基づいて前述の再選択タイマを調整するステップと
を含む方法。
９５．前述のサービングセルの信号測定値は基準シンボル受信品質（ＲＳＲＱ）である実施形態９４に記載の方法。
９６．前述のサービングセルの信号測定値は受信信号コード電力（ＲＳＣＰ）である実施形態９４に記載の方法。
９７．前述のサービングセルの信号測定値は基準信号受信電力（ＲＳＲＰ）である実施形態９４に記載の方法。
９８．前述のサービングセルの信号測定値は、前述のＷＴＲＵに関連する様々な速度のレベルを計算するために使用される実施形態９４〜９７のいずれか１つに記載の方法。
【００９１】
諸特徴および要素を上記に特定の組合せにより説明したが、各特徴または要素を、他の特徴および要素なしに単独で、または他の特徴および要素を伴うもしくは伴わない様々な組合せで使用することができる。本発明で提供する方法または流れ図は、汎用コンピュータまたはプロセッサによって実行するためにコンピュータ可読記憶媒体中に組み入れられるコンピュータプログラム、ソフトウェアまたはファームウェアで実施することができる。コンピュータ可読記憶媒体の例には、読出し専用メモリ（ＲＯＭ）、ランダムアクセスメモリ（ＲＡＭ）、レジスタ、キャッシュメモリ、半導体記憶装置、内蔵ハードディスクやリムーバブルディスクなどの磁気媒体、光磁気媒体、およびＣＤ−ＲＯＭディスクやデジタル多機能ディスク（ＤＶＤ）などの光学媒体が含まれる。
【００９２】
適切なプロセッサには、例えば汎用プロセッサ、専用プロセッサ、従来型プロセッサ、デジタル信号プロセッサ(ＤＳＰ）、複数のマイクロプロセッサ、ＤＳＰコアに関連する１個または複数個のマイクロプロセッサ、コントローラ、マイクロコントローラ、特定用途向けＩＣ（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔｓ）、書替え可能ゲートアレイ（ＦＰＧＡ：Ｆｉｅｌｄ  Ｐｒｏｇｒａｍｍａｂｌｅ  Ｇａｔｅ  Ａｒｒａｙ）回路、他の任意のタイプの集積回路（ＩＣ）および／または状態機械が含まれる。
【００９３】
ソフトウェアに関連するプロセッサを、無線送受信ユニット（ＷＴＲＵ）、ユーザ機器(ＵＥ）、ターミナル、基地局、無線ネットワークコントローラ（ＲＮＣ）または任意のホストコンピュータで使用する無線周波数トランシーバを実装するために使用することができる。ＷＴＲＵは、カメラ、ビデオカメラモジュール、テレビ電話、スピーカホン、振動装置、スピーカ、マイクロホン、テレビトランシーバ、ハンズフリーヘッドセット、キーボード、Ｂｌｕｅｔｏｏｔｈ（登録商標）モジュール、周波数変調(ＦＭ）無線ユニット、液晶ディスプレイ（ＬＣＤ）ディスプレイユニット、有機発光ダイオード（ＯＬＥＤ）ディスプレイユニット、デジタル音楽プレイヤ、メディアプレイヤ、ビデオゲーム機モジュール、インターネットブラウザ、および／または任意の無線ＬＡＮ（ＷＬＡＮ）もしくは超広帯域（ＵＷＢ）モジュールなど、ハードウェアおよび／またはソフトウェアによって実装されるモジュールと組み合わせて使用することができる。
【図１】
2010521119.tif 000003
【図２】
2010521119.tif 000004
【図３】
2010521119.tif 000005
【図４】
2010521119.tif 000006
【図５】
2010521119.tif 000007
【図６】
2010521119.tif 000008
【図７】
2010521119.tif 000009
【図８】
2010521119.tif 000010
【図９】
2010521119.tif 000011
【図１０】
2010521119.tif 000012
【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）であって、
プロセッサを具え、
該プロセッサは、
測定されたセル再選択の回数を決定し、
前記測定されたセル再選択の回数が、第１のセル再選択所定回数を上回ることを決定したことに応答して、サービングセルのヒステリシス値を第１の値によってスケーリングし、
前記測定されたセル再選択の回数が、前記第１のセル再選択所定回数を上回らず、かつ前記測定されたセル再選択の回数が、第２のセル再選択所定回数を上回ることを決定したことに応答して、前記サービングセルのヒステリシス値を第２の値によってスケーリングするように構成されたことを特徴とする無線送受信ユニット。
【請求項２】
前記プロセッサは、前記無線送受信ユニットの移動性状態が前記第２のセル再選択所定回数を上回らないことを決定したことに応答して、前記サービングセルのヒステリシス値をスケーリングしないようにさらに構成されたことを特徴とする請求項１記載の無線送受信ユニット。
【請求項３】
前記プロセッサは、前記無線送受信ユニットの移動性状態が前記第２のセル再選択所定回数を上回らないことを決定したことに応答して、前記サービングセルのヒステリシス値を第３の値によってスケーリングするようにさらに構成されたことを特徴とする請求項１記載の無線送受信ユニット。
【請求項４】
前記プロセッサは、前記サービングセルのヒステリシス値を前記第１の値または前記第２の値によってスケーリングすることに基づいて、前記サービングセルのランキング基準を調整するようにさらに構成されたことを特徴とする請求項１記載の無線送受信ユニット。
【請求項５】
前記プロセッサは、前記サービングセルのヒステリシス値をスケーリングしないことに基づいて、前記サービングセルのランキング基準を調整するようにさらに構成されたことを特徴とする請求項２記載の無線送受信ユニット。
【請求項６】
前記プロセッサは、前記サービングセルのヒステリシス値を前記第３の値によってスケーリングすることに基づいて、前記サービングセルのランキング基準を調整するようにさらに構成されたことを特徴とする請求項３記載の無線送受信ユニット。
【請求項７】
前記プロセッサは、前記測定されたセル再選択の回数が、第１のセル再選択所定回数を上回ることを決定したことに応答して、高移動性状態を決定するようにさらに構成されたことを特徴とする請求項１記載の無線送受信ユニット。
【請求項８】
前記プロセッサは、前記測定されたセル再選択の回数が、前記第１のセル再選択所定回数を上回らず、かつ前記測定されたセル再選択の回数が、第２のセル再選択所定回数を上回ることを決定したことに応答して、中程度の移動性状態を決定するようにさらに構成されたことを特徴とする請求項１記載の無線送受信ユニット。
【請求項９】
無線送受信ユニット（ＷＴＲＵ）で実施する方法であって、
測定されたセル再選択の回数を決定するステップと、
前記測定されたセル再選択の回数が、第１のセル再選択所定回数を上回ることを決定したことに応答して、サービングセルのヒステリシス値を第１の値によってスケーリングするステップと、
前記測定されたセル再選択の回数が、前記第１のセル再選択所定回数を上回らず、かつ前記測定されたセル再選択の回数が、第２のセル再選択所定回数を上回ることを決定したことに応答して、前記サービングセルのヒステリシス値を第２の値によってスケーリングするステップと
を具えたことを特徴とする方法。
【請求項１０】
前記無線送受信ユニットの移動性状態が前記第２のセル再選択所定回数を上回らないことを決定したことに応答して、前記サービングセルのヒステリシス値を第３の値によってスケーリングするステップをさらに具えたことを特徴とする請求項９記載の方法。
【請求項１１】
前記サービングセルのヒステリシス値を前記第１の値または前記第２の値によってスケーリングするステップに基づいて、前記サービングセルのランキング基準を調整するステップをさらに具えたことを特徴とする請求項９記載の方法。
【請求項１２】
前記サービングセルのヒステリシス値を前記第３の値によってスケーリングするステップに基づいて、前記サービングセルのランキング基準を調整するステップをさらに具えたことを特徴とする請求項９記載の方法。
【請求項１３】
前記測定されたセル再選択の回数が、第１のセル再選択所定回数を上回ることを決定したことに応答して高移動性状態に入るステップをさらに具えたことを特徴とする請求項９記載の方法。
【請求項１４】
前記測定されたセル再選択の回数が、前記第１のセル再選択所定回数を上回らず、かつ前記測定されたセル再選択の回数が、第２のセル再選択所定回数を上回ることを決定したことに応答して中程度の移動性状態に入るステップをさらに具えたことを特徴とする請求項９記載の方法。
【手続補正２】
【補正対象書類名】明細書
【補正対象項目名】００９１
【補正方法】変更
【補正の内容】
【００９１】
図２は、セル再選択プロセス２００の流れ図である。このセル再選択プロセスは、ステップ２０５で開始する。ステップ２１０で、サービングセルの信号測定値および／またはセル再選択の回数がいくつであるかに関する決定を行う（ＷＴＲＵの移動性検出）。サービングセルの信号測定値が低くかつ／またはセル再選択の回数が多い場合、高移動性を示し、ステップ２１５で、Ｑhystおよび／またはＴreselを同じまたは異なるスケーリング係数でスケーリングする（すなわち、パラメータを低値にスケーリングする）。サービングセルの信号測定値および／またはセル再選択の回数が中程度の場合、平均的な移動性を示し、ステップ２２０で、Ｑhystおよび／またはＴreselを同じまたは異なるスケーリング係数でスケーリングする（すなわち、パラメータを中央値にスケーリングする）。サービングセルの信号測定値が高くかつ／またはセル再選択の回数が少ない場合、低移動性を示し、ステップ２２５で、Ｑhystおよび／またはＴreselを同じまたは異なるスケーリング係数でスケーリングする（すなわち、パラメータを信号で伝えられた値にスケーリングするか、または変更しない）。ステップ２３０で、ＷＴＲＵの状態に応じた適当なＱhyst値およびＴresel値を使い、セル再選択の式を適用する。ステップ２３５で、再選択の式によって示される所望のセルに再選択することによりセル再選択プロセス２００が終了する。
【手続補正３】
【補正対象書類名】図面
【補正対象項目名】図２
【補正方法】変更
【補正の内容】
【図２】
2010521119.tif 000013
【国際調査報告】
2010521119.tif 000014
2010521119.tif 000015
2010521119.tif 000016